(57)【要約】【課題】耳の負担を軽減させるために、耳甲介３の後方内面を押し圧する耳挿入部の位置、形状により、機器を保持する耳装着具を提供することを課題とする。  【解決手段】  耳介側頭溝の上部に嵌る湾曲部と、耳甲介に嵌って後方の内面に沿う耳挿入部と、一端が耳の裏側に位置する前記湾曲部に連結され、他端が耳輪を乗り越えて耳の表側に位置する前記耳挿入部に連結される連結部とを備え、前記機器が装着されると、前記湾曲部を支点とし、前記耳挿入部が耳甲介の後方内面を押圧して、前記機器を顔前に保持する構成である。【選択図】    図１
2017173399.tif 000002
【特許請求の範囲】
【請求項１】
顔に装着される機器を耳に掛けるための耳装着具であって、耳介側頭溝の上部に嵌る湾曲部と、耳甲介に嵌り、その後方内面に沿う耳挿入部と、一端が耳の裏側に位置する前記湾曲部に連結され、他端が耳輪を回って耳の表側に位置する前記耳挿入部に連結される連結部とを備え、前記機器が装着されると、前記湾曲部を支点とし、前記耳挿入部が耳甲介の後方内面を押圧して、前記機器を顔前に保持することを特徴とする耳装着具。
【請求項２】
前記湾曲部の先端が、耳輪の内側の窪みに嵌る固定補助部を備えていることを特徴とする請求項１に記載の耳装着具。
【請求項３】
前記連結部が、耳輪の内側の窪みに嵌る第二固定補助部を備えていることを特徴とする請求項１に記載の耳装着具。
【請求項４】
前記湾曲部には、側頭及び／又は後頭に沿って伸びる横振れ防止具が備えられていていることを特徴とする請求項１に記載の耳装着具。
【請求項５】
前記横振れ防止具は、関節を介して前記湾曲部に取り付けられて、側頭又は後頭に密着するように構成されていることを特徴とする請求項４に記載の耳装着具。
【請求項６】
前記湾曲部が、耳輪の裏面と側頭との隙間を埋めるブロックを備えていることを特徴とする請求項１又は２又は４又は５の何れかに記載の耳装着具。
【請求項７】
前記連結部と前記耳挿入部が、珠間切痕を通って耳甲介に嵌る形状に形成されていることを特徴とする請求項１又は３に記載の耳装着具。
【請求項８】
前記耳挿入部が耳甲介の後方内面に当接するように、前記連結部の長さが調整可能であることを特徴とする請求項１又は３に記載の耳装着具。
【請求項９】
前記湾曲部と前記連結部との連結端、並びに又は、前記連結部と前記耳挿入部との連結端には、前記耳挿入部を耳甲介に密着させるための関節が設けられていることを特徴とする請求項１又は７に記載の耳装着具。
【請求項１０】
前記湾曲部と前記連結部とが連結される関節には、互いに直交する２方向に動く第三関節、第四関節が設けられていることを特徴とする請求項９に記載の耳装着具。
【請求項１１】
前記第一関節の前記湾曲部に対する取り付け位置が変更できるように構成されていることを特徴とする請求項１０に記載の耳装着具。
【請求項１２】
前記機器が眼鏡であって、前記湾曲部が、テンプルを着脱自在に連結するための第二連結部を備えていることを特徴とする請求項１から１１の何れかに記載の耳装着具。
【請求項１３】
前記湾曲部と前記固定補助部との連結端には、耳輪の内側の窪みに密着させるための第六関節が設けられ、前記連結部と前記第二固定補助部との連結端には、耳輪の内側の窪みに密着させるための第七関節が設けられていることを特徴とする請求項２又は３に記載の耳装着具。
【請求項１４】
左右の前記湾曲部の各後端には、第三固定補助部が着脱可能に、及び／又は、各前記第三関節には、第四固定補助部が着脱可能に設けられていることを特徴とする請求項１又は２又は４又は１２の何れかに記載の耳装着具。
【請求項１５】
前記湾曲部、前記連結部、第二連結部、固定補助部、第二固定補助部、第三固定補助部、第四固定補助部、第一横振れ防止具、第二横振れ防止具、ブロックの何れもが変形する部材で構成されていることを特徴とする請求項１から８又は１２の何れかに記載の耳装着具。
【請求項１６】
前記湾曲部、前記連結部、第二連結部、固定補助部、第二固定補助部、第三固定補助部材、第四固定補助部、第一横振れ防止具、第二横振れ防止具、ブロックの何れもが弾性体で構成されていることを特徴とする請求項１から８又は１２の何れかに記載の耳装着具。
【請求項１７】
前記第三関節、前記第四関節、前記第五関節には、前記耳挿入部を回動させる駆動部が設けられていることを特徴とする請求項９から１１の何れかに記載の耳装着具。
【請求項１８】
前記第六関節、前記第七関節には、耳輪の内側の窪みに密着させるための駆動部が設けられていることを特徴とする請求項１３に記載の耳装着具。
【請求項１９】
前記機器が眼鏡であって、前記湾曲部が、テンプルをテンプル軸の方向に差し込んで、前記眼鏡を前後に摺動可能に保持する第三連結部を有し、前記第三連結部には、前記眼鏡を上下、及び／又は、左右に回動させる関節が設けられていることを特徴とする請求項１又は２又は４又は６又は９又は１２から１５の何れかに記載の耳装着具。
【請求項２０】
前記第三連結部材には、前記眼鏡を前後、及び／又は、上下、及び／又は、左右に回動させる駆動部が設けられていることを特徴とする請求項１９に記載の耳装着具。
【請求項２１】
前記第一横振れ防止具、前記第二横振れ防止具を回動させる駆動部が設けられていることを特徴とする請求項４又は５又は１５又は１６の何れかに記載の耳装着具。
【請求項２２】
前記第二連結部材には、前記眼鏡を前後、及び／又は、上下、及び／又は、左右に回動させる第十駆動部が設けられていることを特徴とする請求項１９に記載の耳装着具。
【請求項２３】
前記機器が、イヤホン、携帯電話器、マイクロホン、マスク係止具、耳つぼ指圧具、ウェアラブル機器、メガネ型動画プレイヤー、ビデオカメラ、双眼鏡、耳式血圧装置の何れかであることを特徴とする請求項１から１８又は２０又は２１の何れかに記載の耳装着具。
【発明の詳細な説明】
【技術分野】
【０００１】
本発明は、人の頭部に装着して使用する製品を、耳で確実に保持するための耳装着具に関する。
【背景技術】
【０００２】
従来、ウェアラブル機器、眼鏡、イヤホン、携帯電話関連機器、双眼鏡などの製品は、耳に掛けたり、鼻パッドで保持したり、側頭部で挟持したりして装着している。例えば、ウェアラブル機器は、眼鏡に取り付けられており、その眼鏡は、モダンを耳介側頭溝に掛けることによって保持されている。イヤホンは、耳穴に挿入され、それを保持する装着具は、耳介側頭溝に掛けられている。携帯電話関連機器は、送信機器を取り付けたイヤホンを耳穴に挿入し、双眼鏡は、眼鏡型の鼻パッドを使用して眼前に保持している。
一方、製品を保持するための装着部を耳の耳介側頭溝に沿わせることはできても、人の耳の形状は様々であるから、頭を振った場合でもそれを耳に安定して固定させることは難しい。
【０００３】
この問題に対しては、例えば、下記特許文献１に記載されたものが知られている。
これは使用者の頭部に当接される頭部当接部２０と、その頭部当接部２０と対向する反対側において、眼鏡フレームのテンプル部が当接されるテンプル当接部３０と、テンプル当接部３０側に設けられたウェアラブル機器の機器接続部４０とを備え、テンプル当接部３０は、テンプル部の頭部側側面が当接する第１当接面を有することを特徴としたものである。また、ウェアラブル機器は、耳で固定されないので、ウェアラブル機器の重さは鼻パッドで支持することになる。そこで、特許文献２では、モダン１を耳殻７の外側の耳の付け根の形状に沿わせるとともに、このモダン１で左右側頭骨及び左右乳様突起を挟持し、モダン１の最終端に取り付けられて耳朶５の表面に当接する保持体９と、耳朶５の裏面から協働して耳朶５を挟持する挟持ストッパー２８と、耳朶５の下端を包むように当接する湾曲部３６が、耳朶５を安定して拘束する構成である。しかし、挟持ストッパー２８と協働する保持体９は、挟持する面積が小さく、固定するには不十分であると言う問題がある。
【先行技術文献】
【特許文献】
【０００４】
【特許文献１】特開２０１３−１１７５６７
【特許文献２】特開２０１５−１７９１３７
【発明の概要】
【発明が解決しようとする課題】
【０００５】
人の顔面や側頭部に装着して使用する機器は、鼻、耳、耳朶で支えるため、不安定であり、耳、鼻、耳朶への負荷が増大しており、そうした機器を長時間耳に装着することは苦痛を伴う問題である。本発明は、こうした問題を解決しようとするもので、顔面や側頭部に装着して使用する機器を、着脱容易にして、機器が重い場合であっても、確実に安定して固定することができ、しかも、耳の負担を軽減させ、頭部を激しく振っても、簡単には脱落しない装着感の良い耳装着具を提供することを課題とする。
【課題を解決するための手段】
【０００６】
第１発明の耳装着具は、顔に装着される機器を耳に掛けるための耳装着具であって、耳介側頭溝の上部に嵌る湾曲部と、耳甲介に嵌り、その後方内面に沿う耳挿入部と、一端が耳の裏側に位置する前記湾曲部に連結され、他端が耳輪を回って耳の表側に位置する前記耳挿入部に連結される連結部とを備え、前記機器が装着されると、前記湾曲部を支点とし、前記耳挿入部が耳甲介の後方内面を押圧して、前記機器を顔前に保持することを特徴とする。
【０００７】
第２発明の耳装着具は、第１発明において、前記湾曲部の先端が、耳輪の内側の窪みに嵌る固定補助部を備えていることを特徴とする。
【０００８】
第３発明の耳装着具は、第１発明において、前記連結部が、耳輪の内側の窪みに嵌る第二固定補助部を備えていることを特徴とする。
【０００９】
第４発明の耳装着具は、第１発明において、前記湾曲部には、側頭及び／又は後頭に沿って伸びる横振れ防止具が備えられていていることを特徴とする。
【００１０】
第５発明の耳装着具は、第４発明の横振れ防止具が、関節を介して前記湾曲部に取り付けられて、側頭又は後頭に密着するように構成されていることを特徴とする。
【００１１】
第６発明の耳装着具は、第１、第２、第４、第５発明の前記湾曲部が、耳輪の裏面と側頭との隙間を埋めるブロックを備えていることを特徴とする。
【００１２】
第７発明の耳装着具は、第１発明又は第３発明の前記連結部と前記耳挿入部が、珠間切痕を通って耳甲介に嵌る形状に形成されていることを特徴とする。
【００１３】
第８発明の耳装着具は、第１発明又は第３発明の前記耳挿入部が耳甲介の後方内面に当接するように、前記連結部の長さが調整可能であることを特徴とする。
【００１４】
第９発明の耳装着具は、第１発明又は第７発明の前記湾曲部と前記連結部との連結端、並びに又は、前記連結部と前記耳挿入部との連結端には、前記耳挿入部を耳甲介に密着させるための関節が設けられていることを特徴とする。
【００１５】
第１０発明の耳装着具は、第９発明の前記湾曲部と前記連結部とが連結される関節には、互いに直交する２方向に動く第一関節、第二関節が設けられていることを特徴とする。
【００１６】
第１１発明の耳装着具は、第１０発明の前記第一関節の前記湾曲部に対する取り付け位置が変更できるように構成されていることを特徴とする。
【００１７】
第１２発明の耳装着具は、第１発明から第１１発明の前記機器が眼鏡であって、前記湾曲部が、テンプルを着脱自在に連結するための第二連結部を備えていることを特徴とする。
【００１８】
第１３発明の耳装着具は、第２発明又は第３発明の前記湾曲部と前記固定補助部との連結端には、耳輪の内側の窪みに密着させるための第六関節が設けられ、前記連結部と前記第二固定補助部との連結端には、耳輪の内側の窪みに密着させるための第七関節が設けられていることを特徴とする。
【００１９】
第１４発明の耳装着具は、第１、第２、第４、第１２発明の左右の前記湾曲部１の各後端には、第三固定補助部１３が着脱可能に、及び／又は、各前記第三関節３３には、第四固定補助部１４が着脱可能に設けられていることを特徴とする。
【００２０】
第１５発明の耳装着具は、第１発明から第８発明又は１２の前記湾曲部、前記連結部、前記第二連結部、前記固定補助部、前記第二固定補助部、第三固定補助部、第四固定補助部、第一横振れ防止具、第二横振れ防止具、ブロックの何れもが変形する部材で構成されていることを特徴とする。
【００２１】
第１６発明の耳装着具は、第１発明から第８発明又は１２の前記湾曲部、前記連結部、第二連結部、固定補助部、第二固定補助部、第三固定補助部、第四固定補助部、第一横振れ防止具、第二横振れ防止具、ブロックの何れもが弾性部材で構成されていることを特徴とする。
【００２２】
第１７発明の耳装着具は、第９発明から第１１発明の前記第三関節、前記第四関節、前記第五関節には、前記耳挿入部を回動させる駆動部が設けられていることを特徴とする。
【００２３】
第１８発明の耳装着具は、第１３発明の前記第六関節、前記第七関節には、耳輪の内側の窪みに密着させるための駆動部が設けられていることを特徴とする。
【００２４】
第１９発明の耳装着具は、第１、第２、第４、第６、第９、第１２から第１５発明の前記機器が眼鏡であって、前記湾曲部が、テンプルをテンプル軸の方向に差し込んで、前記眼鏡を前後に摺動可能に保持する第三連結部を有し、前記第三連結部には、前記眼鏡を上下、及び／又は、左右に回動させる関節が設けられていることを特徴とする。
【００２５】
第２０発明の耳装着具は、第１９の前記第三連結部には、前記眼鏡を前後、及び／又は、上下、及び／又は、左右に回動させる駆動部が設けられていることを特徴とする。
【００２６】
第２１発明の耳装着具は、第４、第５、第１５、第１６発明の前記第一横振れ防止具、前記第二横振れ防止具を回動させる駆動部が設けられていることを特徴とする。
【００２７】
第２２発明の耳装着具は、第１９発明において、前記第二連結部材には、前記眼鏡を前後、及び／又は、上下、及び／又は、左右に回動させる第十駆動部が設けられていることを特徴とする。
【００２８】
第１発明から第１８発明、並びに第２０発明又は第２１発明において、前記機器が、イヤホン、携帯電話器、マイクロホン、マスク係止具、耳つぼ指圧具、ウェアラブル機器、メガネ型動画プレイヤー、ビデオカメラ、双眼鏡、耳式血圧装置の何れかであることを特徴とする。
【発明の効果】
【００２９】
第１発明の耳装着具によれば、前記機器を装着したときに、前記湾曲部を支点とし、前記耳挿入部が耳甲介の後方内面を押圧して、前記機器が垂れ下るのを防止するから、耳の形が種々に異なっても、前記機器を顔前に安定して保持することができる。
【００３０】
第２発明によれば、前記固定補助部が耳輪の内側の窪みに嵌るから、耳の裏側の湾曲部と耳の表側の固定補助部とで耳輪を表裏から挟むことにより、眼前の機器をさらに安定させることができる。
【００３１】
第３発明によれば、耳輪の内側の窪みに嵌る第二固定補助部を備えているから、前述同様、耳輪を表裏から挟むことによって連結部を安定させ、これにより、眼前の機器をさらに安定させることができる。
【００３２】
第４発明によれば、前記湾曲部には、側頭及び／又は後頭に沿って伸びる横振れ防止具が備えられているから、眼前の機器の左右方向のぶれを阻止することができる。
【００３３】
第５発明によれば、側頭部に当接して前記機器の横振れを防ぐ横振れ防止具が関節を介して側頭又は後頭に密着するように取り付けられているので、頭部の形状が一様でなくても、機器の横ぶれを防ぐとともに、機器の左右方向の正確な位置調整が可能となる。
【００３４】
第６発明によれば、前記湾曲部が、耳輪の裏面と側頭との隙間を埋めるブロックを備えているので、前記湾曲部がガタツキなく装着され、これにより、装着感を良くして、機器を眼前に確実に保持することができる。
【００３５】
第７発明によれば、前記連結部と前記耳挿入部が、珠間切痕を通って耳甲介に嵌る形状に形成されているので、耳装着具の着脱がスムーズにできる。
【００３６】
第８発明によれば、前記連結部の長さが調整可能であるので、前記耳挿入部を様々な人の耳甲介の位置に合わせることができる。
【００３７】
第９発明によれば、関節によって前記耳挿入部を手で動かすことができるから、前記耳挿入部を耳甲介に密着させることと、その着脱が容易になる。
【００３８】
第１０発明によれば、互いに直交する二方向に動く第一関節と第二関節によって前記連結部を三次元的に動かすことができるので、前記耳挿入部を耳甲介に嵌め込むことが容易になる。
【００３９】
第１１発明によれば、前記第一関節の取り付け位置が変更できるので、耳サイズに合わせて前記湾曲部と前記連結部との取り付け角度を変更することができる。
【００４０】
第１２発明によれば、前記機器が眼鏡であって、前記湾曲部が、テンプルを着脱自在に連結するための第二連結部を備えているので、従来の眼鏡を簡単に装着することができる。
【００４１】
第１３発明によれば、第六関節により前記固定補助部を耳輪の内側の窪みに嵌めることが容易になり、第七関節により、同様に前記第二固定補助部を耳輪の内側の窪みに嵌めることが容易になる。
【００４２】
第１４発明によれば、第三固定補助部、第四固定補助部が着脱可能に設けられているので、前記機器を装着感の良い位置に調整して、後頭部に当接させることにより、それを確実に固定することができる。
【００４３】
第１５発明によれば、前記湾曲部、前記連結部、第二連結部、前記固定補助部、前記第二固定補助部、第三固定補助部、第四固定補助部、第五固定補助部、第一横振れ防止具、第二横振れ防止具、ブロックの何れもが変形する部材で構成されているので、それを装着する人に違和感を与えずに装着することができる。
【００４４】
第１６発明によれば、前記湾曲部、前記連結部、第二連結部、前記固定補助部、前記第二固定補助部、第三固定補助部、第四固定補助部、第五固定補助部、第一横振れ防止具、第二横振れ防止具、ブロックの何れもが弾性部材で構成されているので、関節を設けなくても、手の操作でもって様々な人の耳に簡単に嵌めることができる。
【００４５】
第１７発明によれば、前記第三関節、前記第四関節、前記第五関節には、前記耳挿入部を回動させる駆動部が設けられているので、手を使わずに駆動部をコントロールすることによって耳挿入部を自動的に装着することができる。
【００４６】
第１８発明によれば、前記第六関節、前記第七関節には、耳輪の内側の窪みに密着させるための駆動部が設けられているので、手を使わずに駆動部をコントロールすることによって自動的に密着させることができる。
【００４７】
第１９発明によれば、前記機器が眼鏡であって、前記湾曲部が、該眼鏡を前後にスライド可能に保持する第三連結部を有し、その第三連結部には、眼鏡を上下、及び又は、左右に回動させる関節が設けられているので、眼鏡を眼の上まで上げて保持することができるし、左右方向の正確な位置調整も可能となる。
【００４８】
第２０発明によれば、第三連結部材の駆動部により前記眼鏡を前後、上下、左右方向に動かすことができるから、眼鏡のレンズの位置を自由にコントロールすることができる。
【００４９】
第２１発明によれば、第一横振れ防止具、第二横振れ防止具を回動させる駆動部が設けられているので、前記機器を前後、上下、左右方向に自動的に動かすことができる。
【００５０】
第２２発明によれば、イヤホン、携帯電話器、マイクロホン、マスク係止具、耳つぼ指圧具、ウェアラブル機器、メガネ型動画プレイヤー７、ビデオカメラ、双眼鏡、耳式血圧装置など様々な機器を耳に装着することができる。
【図面の簡単な説明】
【００５１】
【図１】第１発明の実施例を示す斜視図、側面図である。
【図２】第２発明の実施例を示す側面図である。
【図３】第３発明の実施例を示す側面図である。
【図４】第４発明の実施例を示す側面図である。
【図５】第５発明の実施例を示す側面図である。
【図６】第６発明の実施例を示す斜視図である。
【図７】第７発明の実施例を示す斜視図である。
【図８】第８発明の実施例を示す側面図である。
【図９】第９発明の実施例を示す側面図である。
【図１０】第９発明の実施例を示す側面図斜視図である。
【図１１】第１０発明の実施例を示す側面図である。
【図１２】第１１発明の実施例を示す側面図である。
【図１３】第１２発明の実施例を示す斜視図である。
【図１４】第１３発明の実施例を示す側面図である。
【図１５】第１４発明の実施例を示す斜視図である。
【図１６】第１４発明の実施例を示す側面図である。
【図１７】第１５発明の実施例を示す側面図である。
【図１８】第１６発明の実施例を示す側面図である。
【図１９】第１７発明の実施例を示す側面図である。
【図２０】第１８発明の実施例を示す側面図である。
【図２１】第１９発明の実施例を示す側面図である。
【図２２】第１９発明の実施例を示す側面図である。
【図２３】第２０発明の実施例を示す側面図である。
【図２４】第２１発明の実施例を示す側面図である。
【図２５】第２２発明の実施例を示す側面図である。
【図２６】第２２発明の実施例を示す側面図である。
【発明を実施するための形態】
【００５２】
以下、本発明に係る耳装着具の実施形態を、様々な機器の中から眼鏡を一例として取り上げて図面を参照しながら説明する。
【実施例１】
【００５３】
第１発明の耳装着具は、顔に装着される機器を耳に掛けるための耳装着具であって、耳介側頭溝２の上部に嵌る湾曲部１と、耳甲介３に嵌って後方の内面に沿う耳挿入部４と、一端が耳の裏側に位置する前記湾曲部１に連結され、他端が耳輪５を回って耳の表側に位置する前記耳挿入部４に連結される連結部６とを備え、前記機器が装着されると、前記湾曲部１を支点１６とし、前記耳挿入部４が耳甲介３の後方内面を押圧して、前記機器を顔前に保持することを特徴としている。
【００５４】
図１（ａ）は第１発明の眼鏡の一部を表した一実施形態の斜視図であり、図１（ｂ)は眼鏡を左耳にかけた側面図であり、図１（ｃ）は眼鏡が眼前に保持されるときの各部の作用を示す側面図である。これらの図において、湾曲部１は、眼鏡を装着する人の耳介側頭溝２の上部に嵌って側頭部と耳の裏側とに密着する形状をなしている。耳挿入部４は、深く入り込むイヤホン等と違って耳甲介３に浅く嵌ってその後方内面に沿う形状をなしている。連結部６は、一端が耳の裏側に位置する前記湾曲部１に連結され、他端が耳輪５を非接触にオーバーハングするアーチ形状をなして耳の表側に位置する前記耳挿入部４と連結されている。そして、眼鏡を装着すると、前記湾曲部１と耳介側頭溝２との接触箇所を支点１６として眼鏡が下方へ回転しようとするが、前記耳挿入部４が耳甲介３の後方内面を押圧して、眼鏡の回動を阻止するため、眼鏡が顔面の所定位置に保持される。
【００５５】
前記連結部６は、耳輪５をオーバーバングして前方斜め下方にアーチを描いて傾斜し、その先端に耳挿入部４が連結されている。この耳挿入部４は、軟骨のある耳甲介３の後方内面をソフトに押圧する形状である。耳甲介３には、耳甲介膣と耳甲介艇があるが、この場合の耳挿入部４は、これらの内の少なくとも一方の後方内面を押圧する形状であれば良い。
【００５６】
図１の実施形態では、耳挿入部４で、耳甲介３の後方内側を押圧して、眼鏡を顔前に保持するが、耳の内側は、凹凸した形状の部分が多数存在している。また、人によって凹凸の形状が異なるので、その人の凹凸の形状の中で、耳挿入部４が嵌り、そこから浮き上がらずに後方内側を押圧する形状にすることは勿論可能である。
【００５７】
本発明で言う眼鏡は、老眼鏡、度付きメガネ、ＴＶ・映画用３Ｄメガネ、伊達メガネ、サングラス、風防メガネ、カメラを取り付けたメガネ、拡大鏡を入れたメガネ、ライトを取り付けたメガネ、剣道用メガネ、ウェアラブル機器１５を取り付けたメガネ、スクリーンに表示される画像を観察するための画像観察用メガネ、拡張現実（ＡＲ）機能を備えたメガネ、手術用メガネである。
【００５８】
前記機器の取り付け位置は、図示しないが、その機器にはバッテリーや部品が付属しているので、その機器の重心が湾曲部１上に位置するように、バランスを考慮して取り付けることが望ましい。耳装着具を装着する方法は、最初に湾曲部１を耳介側頭溝２に掛けて嵌め、連結部６と耳挿入部４は軟骨でできている耳輪５を手で曲げ、耳挿入部４を耳甲介３に嵌めるようにして、耳輪５を連結部６内に入れれば、耳装着具は確実に固定される。
【００５９】
以下の図では、第１発明の構成部分と同様な部分については、その説明を省略又は簡略化し、第１発明と異なる部分の実施形態について説明する。
【実施例２】
【００６０】
第２発明の耳装着具は、前記湾曲部１の先端が、耳輪５の内側の窪みに嵌る固定補助部１１を備えていることを特徴としている。
【００６１】
図２は第２発明の固定補助部１１を湾曲部１の先端下部に取り付けた一実施形態の側面図である。固定補助部１１を湾曲部１の先端に取り付け、固定補助部１１を耳輪５の形状に合致した形状に湾曲させ、耳輪５の窪みに嵌め込むことにより、湾曲部１は動かなくなる。そして、耳装着具を側頭に寄せて固定することができる。
【００６２】
湾曲部１、連結部６の材質は、金属類、チタン、ステンレス、樹脂である。耳挿入部４の材質は、シリコンゴム、ＣＰ、ポリエステル、アセテート、ナイロン、ＰＶＣ、ポリアミド、ニュクレル、形状記憶樹脂、スポンジ、ベータプラスチック、肌の温度で変形する樹脂などである。耳に接する部分、耳甲介３に接する部分は柔軟な素材が適している。
【実施例３】
【００６３】
第３発明の耳装着具は、前記連結部６が、耳輪５の内側の窪みに嵌る第二固定補助部１２を備えていることを特徴としている。
【００６４】
図３は第３発明の第二固定補助部１２を連結部６に取り付けた状態の一実施形態の側面図である。第二固定補助部１２を連結部６に取り付け、第二固定補助部１２を耳輪５の内側の形状に合致した形状に湾曲させ、耳輪５の窪みに嵌め込むことにより、連結部材６は動かなくなり、外れなくなる。そして、眼鏡を側頭に寄せて固定することができる。
【実施例４】
【００６５】
第４発明の耳装着具は、前前記湾曲部１には、側頭及び／又は後頭に沿って伸びる第一横振れ防止具２１、第二横振れ防止具２２が備えられていていることを特徴としている。
【００６６】
図４（ａ)は第４発明の第一横振れ防止具２１を前記湾曲部１の先端に取り付け、第二横振れ防止具２２を前記湾曲部１の後端に取り付けた状態の一実施形態の側面図である。湾曲部１の前後に第一横振れ防止具２１、第二横振れ防止具２２を取り付けて側頭に密着させているので、左右方向の振れを阻止できる。
【００６７】
図４（ｂ)は第４発明の第二横振れ防止具２２を前記湾曲部１の後端に取り付けた状態の一実施形態の側面図である。第二横振れ防止具２２を後頭に沿って内側に湾曲させているので、耳装着具はより安定して保持できる。第二横振れ防止具２２を後頭に沿って延設する長さは限定されない。
【実施例５】
【００６８】
第５発明の耳装着具は、前記横振れ防止具は、関節を介して前記湾曲部１に取り付けられて、側頭又は後頭に密着するように構成されていることを特徴としている。
【００６９】
図５（ａ)は第５発明の眼鏡に第一横振れ防止具２１を取り付けたことを示す一実施形態の側面図である。湾曲部１の先端に取り付けた上下方向の軸を中心として水平方向に回動可能に取り付けた第一横振れ防止具２１を設けることにより、第一横振れ防止具２１が側頭に当接して横ぶれを防ぐことができる。
【００７０】
図５（ｂ)は第５発明の眼鏡に第二横振れ防止具２２を取り付けたことを示す一実施形態の側面図である。第二横振れ防止具２２は湾曲部１の後端部に取り付け、後頭部の側頭に当接して横ぶれを防止することができる。第二横振れ防止具２２の取り付け位置は、湾曲部１上にあり、側頭に当接できれば、どの位置であっても作用効果はある。
【００７１】
図５（ｃ)は第５発明の第一横振れ防止具２１、第二横振れ防止具２２を一眼用ウェアラブル機器に取り付けたことを示す一実施形態の側面図である。湾曲部１の先端に第一横振れ防止具２１を取り付け、支点１６となる湾曲部１と、湾曲部１の後端に第二横振れ防止具２２取り付けることにより、側頭を三点で当接することができる。図示しないが、前述の固定補助部１１、第二固定補助部１２を取り付けることにより確実に保持することができる。
【実施例６】
【００７２】
本第６発明の耳装着具は、前記湾曲部１が、耳輪の５裏と側頭との隙間を埋めるブロック１８を備えていることを特徴としている。
【００７３】
図６（ａ)は第６発明のブロック１２を取り付けた眼鏡を耳に掛けた人の一実施形態の斜視図である。耳輪５の裏側と側頭との隙間に嵌ってそれらに密着する形状のブロック１２を湾曲部１と一体化させて耳輪５の裏側に設けているので、側面からはブロック１２は目立たないし、耳輪５の裏側と側頭とに密着しているので、装着感は良い。そして、ブロック１２は、中を空洞にした形状でも良い。
【００７４】
図６（ｂ)は第６発明のブロック１２に細い連結部６を取り付けた眼鏡を耳に掛けた人の斜視図である。ブロック１２で耳輪５の裏側と側頭との隙間を固定していれば、細い連結部６や細いテンプル９であっても、シンプルに保持することができる。
【実施例７】
【００７５】
第７発明の耳装着具は、前記連結部６と前記耳挿入部４が、珠間切痕１７を通って耳甲介３に嵌る形状に形成されていることを特徴としている。
【００７６】
図７は第７発明の耳挿入部４の一例を示す実施形態の斜視図である。耳挿入部４を耳の中心部の奥に位置する耳甲介３に挿入するためには、僅かに突出している珠間切痕１７を避けて耳甲介３を入れなければならないので、耳挿入部４を楕円形に形成するとともに、連結部６が耳に接しないように連結部６を内側に湾曲させて、耳挿入部４が耳甲介３に到達するようにしている。
【実施例８】
【００７７】
第８発明の耳装着具は、前記耳挿入部４が耳甲介３の後方内面に当接するように、前記連結部６の長さが調整可能であることを特徴としている。
【００７８】
図８（ａ)は第８発明の眼鏡の連結部６が入れ子式に構成されて、連結部６の長さが調整可能であることを示す一実施形態の側面図である。図８（ｂ)は入れ子式の連結部材６に取り付けた耳挿入部４を、下方に下げて連結部６の長さを長くしたことを示す側面図である。これにより、大きさの異なる様々な人の耳甲介３に対応できるようにしている。
【実施例９】
【００７９】
第９発明の耳装着具は、前記湾曲部１と前記連結部６との連結端、並びに又は、前記連結部６と前記耳挿入部４との連結端には、前記耳挿入部４を耳甲介３に密着させるための関節が設けられていることを特徴としている。
【００８０】
図９（ａ）は関節３３の一実施形態の側面図を示し、図９（ｂ）は連結部６が関節３３を構成する水平方向の軸回りに矢印方向に回動可能であることを示す側面図である。この実施形態では、連結部６を反時計方向に一定範囲回動させると、関節３３の回動が規制されるようになっている。図９（ｃ）は、機器を眼前に装着して耳挿入部４を耳甲介３に密着させると、湾曲部１と耳介側頭溝２との接触部分が支点１６となって眼鏡が反時計方向へ回動するのを、耳挿入部４が耳甲介３を押圧することによって阻止する様子を示す。人の耳甲介３には、耳甲介膣と耳甲介艇があるので、窪みのある後方内面であれば押圧する場所は限定されない。
【００８１】
図１０（ａ）は、前記連結部６と前記耳挿入部４との連結端に別の関節３５を取り付けた一実施形態の側面図であり、図１０（ｂ）はこの関節３５が回動可能であることを示す側面図である。これにより、耳挿入部４を回動させて耳甲介３に密着させることができる。図１０（ｃ）は連結部６と耳挿入部４との間に取り付けた関節３５から耳挿入部４を外した状態を示す説明図である。
【００８２】
湾曲部１、連結部６の材質は、シリコンゴム、ＣＰ、ポリエステル、アセテート、ＰＶＣ、ポリアミド、ニュクレル、形状記憶樹脂、スポンジ、ベータプラスチックなどである。耳挿入部４の材質として、エラストマーゲル状ウレタンは人肌のように柔軟な部材である。また、肌の温度で変形する樹脂も耳甲介３に接する部分に適している。
【実施例１０】
【００８３】
第１０発明の耳装着具は、前記湾曲部１と前記連結部６とが連結される関節には、互いに直交する２方向の前記第三関節３３、第四関節３４が設けられていることを特徴としている。
【００８４】
図１１は第１０発明に係る関節の一実施形態を示し、図１１（ａ)は眼鏡を耳にかけるときに、水平方向の軸回りに回動する第三関節３３によって、前記連結部６と耳挿入部４が矢印方向に回動可能となっていることを示す側面図である。また、第三関節３３の回転軸は、第四関節３４の回転軸とは直交する方向に設けられている。これにより、連結部材６に取り付けた耳挿入部４を耳から外側に離しながら、耳挿入部４を上方に持ち上げることができる。このとき、連結部６を後方へ持ち上げるだけで、第三関節３３、第四関節３４は互いに連動して回動するから、湾曲部１を耳介側頭溝２に掛け易くしている。図１１（ｂ)は第四関節３４によって、耳挿入部４が矢印方向の内側に回動可能であり、これにより耳挿入部４を耳甲介３の中に入れ易くしている。
【００８５】
図１１（ｃ)は外側に開いていた耳挿入部４を矢印方向に回動させて、耳挿入部４を耳甲介３の窪みの中心に入れた状態を示す側面図である。連結部６に取り付けられた耳挿入部４を耳甲介３の窪みの奥まで回動させ、窪みの中央に入れている。図１１（ｄ)は耳挿入部４を耳甲介３の窪みに入れた後、耳甲介３の後方内面に密着させるために、第三関節３３により矢印の方向に耳挿入部４を回動させ、後方内面に当接させたことを示す側面図である。
【００８６】
実施の形態の一例として、前記湾曲部１と前記連結部６との間に連結されている第三関節３３、第四関節３４は、耳輪５と側頭との隙間に嵌るブロック部材内に設けられ、第三関節３３、第四関節３４が回動し易い場所に設けられて、横ぶれしないように固定されている。互いに直交する方向に回動する二つの第三関節３３と第四関節３４が連動して、耳挿入部４を三次元的に動かすことにより、耳挿入部４を凹状で奥に窪んだ耳甲介３の後方内面にコントロールしながら到達させ、眼鏡を装着することができる。
【実施例１１】
【００８７】
第１１発明の耳装着具は、前記第三関節３３の前記湾曲部１に対する取り付け位置が、変更できるように構成されていることを特徴としている。
【００８８】
図１２（ａ)は第１１発明の第三関節３３の湾曲部１への取り付け位置の一例を示す側面図であり、図１２（ｂ)は、その取り付け位置を上方に変更したことを示す側面図である。様々な人の耳に合わせるために、第三関節３３を耳挿入部４に取り付ける位置を変更して、最適な位置で機器が装着できるようにしている。第三関節３３の位置を変更することは、連結部６や耳挿入部４を装着する角度が適宜の位置に変わり、装着感を良くすることができる。
【実施例１２】
【００８９】
第１２発明の耳装着具は、前記機器が眼鏡であって、前記湾曲部１が、テンプル９を着脱自在に連結するための第二連結部７を備えていることを特徴としている。
【００９０】
図１３（ａ)は第１２発明の第二連結部７を湾曲部１の先端下部に設けたことを示す眼鏡の一実施形態の斜視図である。湾曲部１の先端部と後端部にテンプル９、モダン１０を挟み込む溝１９を設け、この溝１９にテンプル９、モダン１０を嵌め込んで固定している。溝１９は材質を弾性部材で製作しているので、基本的な形状のテンプル９、モダン１０を挟んで固定することができる。
【００９１】
図１３（ｂ)は第１２発明の第二連結部７を湾曲部１の上部側に設けたことを示す眼鏡の一実施形態の斜視図である。湾曲部１の先端部と後端部の上部側にテンプル９とモダン１０を挟み込む溝１９を設け、この溝１９にテンプル９とモダン１０を嵌め込んで固定している。溝１９は弾性部材で構成されているので、基本的な形状のテンプル９、モダン１０を挟み保持することができる。
【００９２】
第１３発明の第二連結部７は、強い力で挟持できる溝１９を取り付けたことにより、溝１９に嵌め込んだテンプル９は前後方向に自由に移動させることができるので、レンズと目との間を示す角膜頂点間距離１２ｍｍの調整が可能となる。そして、連結部６に取り付けた耳挿入部４を耳甲介３に密着させた後、第一関節３３を利用して、眼鏡の上下方向の位置の微調整もすることができる。したがって、市販された眼鏡を装着している人の眼鏡に取り付けて、装着感の良い眼鏡として便利に使用することができる。
【００９３】
第１２発明の眼鏡は、湾曲部１、連結部６、耳挿入部４で耳甲介３に確実に保持されるので、眼鏡のブリッジと鼻パッドを省略して使用することができる。
【実施例１３】
【００９４】
第１３発明の耳装着具は、前記湾曲部１と前記固定補助部１１との連結端には、耳輪５の内側の窪みに密着させるための第六関節３６が設けられ、前記連結部６と前記第二固定補助部１２との連結端には、耳輪５の内側の窪みに密着させるための第七関節３７が設けられていることを特徴としている。
【００９５】
図１４（ａ）は第１２発明の第六関節３６の一実施形態として、湾曲部１の先端下部に鉛直方向の回転軸を有する関節を示し、図１４（ｂ)はその第六関節３６により前記固定補助部１１を耳輪５の窪みから外して外側に回動させ状態の側面図を示す。この第六関節３６により耳輪５の窪みの奥に嵌った前記固定補助部１１を耳から外すことが容易になる。
【００９６】
図１４（ｃ）は第１２発明の第七関節３７の一実施形態を示し、図１４（ｄ)は第七関節３７により前記第二固定補助部１２を耳輪５の窪みから外したことを示す側面図である。この第七関節３７は、前記連結部６に紙面と直交する方向に設けた回転軸に第二固定補助部１２を矢印方向に回動可能に取り付けたもので、これにより、耳輪５の窪みの奥に嵌った前記第二固定補助部１２を耳から外すことが容易になる。
【実施例１４】
【００９７】
第１４発明の耳装着具は、左右の前記湾曲部１の各後端には第三固定補助部１３を設けるか、及び／又は各前記第三関節３３に第四固定補助部１４が、回動可能及び／又は着脱可能に設けられていることを特徴としている。
【００９８】
図１５（ａ）は第１４発明の第三固定補助部１３を左右の前記湾曲部１の各後端に取り付けた一実施形態の斜視図であり、図１５（ｂ)は第１４発明の第四固定補助部１４を各前記第三関節３３の各後端に取り付けた一実施形態の斜視図である。第三固定補助部１３、第四固定補助部１４が側頭から後頭に掛けて密着するので、左右の前記湾曲部１、各前記第三関節３３が非常に安定して側頭に当接することになる。
【００９９】
図１６（ａ)は、第１４発明の第四固定補助部１４を各前記第三関節３３の各後端に取り付け、双眼鏡を取り付けた眼鏡を掛けた人の一実施形態の側面図である。第四固定補助部１４が後頭部全体に当接して、重量のある双眼鏡取り付けた眼鏡を装着した場合、双眼鏡の重量は第四固定補助部１４によって受け止められ、長時間装着しても装着感が良く安定して固定することができる。
【０１００】
図１６（ｂ)は第１４発明の第四固定補助部１４を前記第三関節３３の後端に取り付けた一実施形態の斜視図であり、図１６（ｃ)は第１４発明の第四固定補助部１４を矢印の示す方向に引き上げた状態を示す一実施形態の側面図ある。第四固定補助部１４を引き上げ、連結部６が矢印の方向に回動し、耳挿入部４が耳甲介３に押し圧して停止した時に、眼鏡は固定される。このようにして重い双眼鏡も装着することができる。
【実施例１５】
【０１０１】
第１５発明の耳装着具は、湾曲部１、連結部６、固定補助部１１、第二固定補助部１２、第三固定補助部１３、第一横振れ防止具２１、第二横振れ防止具２２、ブロック１８の何れもが変形する部材で構成されていることを特徴としている。
【０１０２】
図１７（ａ)は、第１５発明の変形部材で形成された湾曲部１の側面図を示す。湾曲部１は変形部材で形成されているので、一定以上の力を加えると変形するが、耳介側頭溝２に嵌め込んだ場合は、適宜の力で挟むことができる。耳介側頭溝２が湾曲部１に当接する位置は、前述の支点１６となる。耳介側頭溝２の形状に合わせた支点１６は安定性が良く、装着感も良い。耳挿入部４を耳甲介３に密着させることにより、長時間装着しても違和感はない。図１７（ｂ)は、第１５発明の連結部６が変形部材で形成されている側面図を示す。一定以上の力を加えると外側に曲がり、放しても元に戻らないようになっている。
【０１０３】
図１７（ｃ)は第１５発明の変形部材で構成された固定補助部１１を示す側面図である。固定補助部材１１を耳輪５の内側の窪みの形状に変形させることにより、軟骨である耳輪５の上端部の窪みに、固定補助部１１を簡単に嵌め込むことができる。この固定補助部１１の作用効果により、眼鏡は側頭部に固定される。図１７（ｄ)は第１５発明の変形部材で構成された第二固定補助部１２を示す側面図である。第二固定補助部１２を耳輪５の内側の窪みの形状に変形させることにより、固定補助部１２を耳輪５の上端部の窪みに簡単に嵌め込むことができる。
【０１０４】
図示しないが、第一横振れ防止具２１、第二横振れ防止具２２、ブロック１８を変形部材にすることにより、耳の形状が僅かに異なる多く人が装着可能となり、同じ型の耳装着具を多くの人が併用できるので標準型となる。
【実施例１６】
【０１０５】
第１６発明の耳装着具は、湾曲部１、連結部６、固定補助部１１、第二固定補助部１２、第三固定補助部１３、第一横振れ防止具２１、第二横振れ防止具２２、ブロック１８の何れもが弾性部材で構成されていることを特徴としている。
【０１０６】
図１８（ａ)は、第１６発明の湾曲部１の中に入れた針金２０を、装着する人の耳介側頭溝２の形状に合わせている側面図を示す。湾曲部１は針金２０を芯に入れて形成されているので、一定以上の力を加えると変形するが、機器を装着した状態では変形しないようになっている。耳介側頭溝２が湾曲部１に当接する位置は、前述の支点１６となる。耳介側頭溝２の形状に合わせた支点１６は安定性が良く、装着感も良い。耳挿入部４を耳甲介３に密着させることにより、長時間装着しても違和感はない。
【０１０７】
図１８（ｂ)は、第１６発明の弾性部材で構成された連結部６の一例を示す側面図である。この場合には、前述の第四関節３４がなくても、耳装着具を着脱する時に、耳の耳輪５に接しないように連結部６を外側に簡単に広げることができる。耳甲介３に嵌め込む時も、自由に曲がる弾性部材の作用効果で、珠間切痕１７を避けて耳甲介３の窪みに合わせることは容易である。耳の形状が僅かに異なっても装着可能となるので、標準的な型となる。
【０１０８】
図１８（ｃ)は第１６発明の弾性部材で構成される固定補助部１１を示す側面図である。この場合には、前述の第五関節３５を設けなくても、固定補助部１１を取り付けて耳装着具を装着する時は、耳輪５の内側の窪みに嵌め込まないと耳装着具を固定できない。固定補助部１１を変形部材で形成させることにより、固定補助部１１を曲げて簡単に窪みに嵌めることができる。固定補助部１１の作用効果により、耳装着具は側頭部に固定される。
【０１０９】
実施の形態の一例として、第１８（ｃ)図は第１６発明の弾性部材を取り付けた第二固定補助部１２を示す側面図である。第二固定補助部１２を取り付けて耳装着具を装着する時は、耳輪５の内側の窪みに嵌め込まないと耳装着具を固定できない。第二固定補助部１２を変形部材で形成させることにより、第二固定補助部１２を曲げて簡単に耳輪５の上端部の窪みに嵌めることができる。第二固定補助部１２の作用効果により、耳装着具は側頭部に固定される。
【０１１０】
図示しないが、第一横振れ防止具２１、第二横振れ防止具２２、ブロック１８を弾性部材にすることにより、耳の形状が僅かに異なる多く人が装着可能となり、同じ型の耳装着具を多くの人が併用できるので標準型となる。
【実施例１７】
【０１１１】
第１７発明の耳装着具は、前記第三関節３３、前記第四関節３４、前記第五関節３５には、前記耳挿入部４を回動させる駆動部が設けられていることを特徴としている。
【０１１２】
図１９（ａ)は第１７発明の第三関節３３には、連結部６を水平方向の軸を中心として前後方向に回動させる第一駆動部４１が取り付けられ、第四関節３４には、連結部６を上下方向の軸を中心として前後方向に回動させる第二駆動部４２が取り付けられていることを示す側面図である。ブロック１８に取り付けられた第一駆動部４１と第二駆動部４２を連動させることにより、耳挿入部４を耳甲介３の窪みに自動的に移動させて後方内面に当接させることができる。
【０１１３】
図１９（ｂ)は第１７発明の第五関節３５には、耳挿入部４を耳に沿って回転させる第三駆動部４３が設けられていることを示す側面図である。水平方向の軸回りに耳挿入部４を回動させる第三駆動部４３は、耳甲介３の中に入った耳挿入部４を矢印方向に回動させることにより、耳挿入部４を後方内面に密着させることができる。
【実施例１８】
【０１１４】
第１８発明の耳装着具は、前記第六関節３６、前記第七関節３７には、耳輪５の内側の窪みに密着させるための駆動部が設けられていることを特徴としている。
【０１１５】
図２０（ａ)は第１８発明の第六関節３６には、前記固定補助部１１を耳輪５の内側の窪みに密着させるための第六駆動部４６が設けられている一実施形態の側面図である。耳輪５の内側の窪みに前記固定補助部１１を自動的に入れるために、第六関節３６は外側方向斜め下方から上方に回動させて、前記固定補助部１１を斜め下方から耳輪５の内側の窪みに嵌まるように設けられている。  図２０（ｂ）は第１８発明の第七関節３７には、前記第二固定補助部１１を耳輪５の内側の窪みに密着させるための第七駆動部４７が設けられている一実施形態の側面図を示す。耳輪５の内側の窪みに記第二固定補助部１２を入れるには、前記第七関節３７は下方から上方に回動するように設けられている。
【実施例１９】
【０１１６】
第１９発明の耳装着具は、前記機器が眼鏡であって、前記湾曲部１が、テンプル９をテンプル軸の方向に差し込んで、前記眼鏡を前後に摺動可能に保持する第三連結部８を有し、前記第三連結部８が眼鏡を上下、及び／又は、左右に回動させる関節が設けられていることを特徴としている。
【０１１７】
図２１（ａ)は第１９発明の眼鏡の前記湾曲部１に取り付けられる第三連結部８には、テンプル９をテンプル軸の方向に差し込んで保持する保持部１５が形成され、その保持部１５が左右方向に回動する第八関節３８を設けることにより、湾曲部１に対して前記第三連結部８が水平方向に回動可能に取り付けられていることを示す一実施形態の側面図である。保持部１５にテンプル９を挿入すると、密着させることができる。図２１（ｂ)は第１９発明の眼鏡の前記湾曲部１に対して第三連結部８が上下方向に回動する第九関節３９を設けることにより、第三連結部８が湾曲部材１に対し、上下方向に回動することを示す一実施形態の側面図である。前記テンプル９をテンプル軸に挿入すると、眼鏡のレンズ部を適宜の目の高さに合わせることができる。
【０１１８】
図２１（ｃ)は第１９発明の湾曲部１先端に取り付けた第三連結部８に保持したテンプル９が、前後方向に摺動可能にすることを示す一実施形態の側面図である。湾曲部１に対してテンプル９が上下方向に折り曲がる第九関節３９を設けているので、前後方向の調整も可能である。最も重要なレンズ部と目との間の角膜頂点間距離の調整が可能である。
【０１１９】
第三連結部材８の別の作用効果を説明する。図２２（ａ)は第１９発明の第三連結部８を取り付けた眼鏡を前方に出したことを示す一実施形態の側面図であり、図２２（ｂ)は眼鏡を前方に出した後、上方に押し上げて固定した状態を示す側面図である。したがって、この場合の第九関節３９は、眼鏡を顔面から上方に上げると、締まって拘束されるようになっている。こうすれば、眼鏡を使用しない時にレンズ部を退避させる方法として便利に使用することができる。図示しないが、眼鏡をかける時に、また、眼鏡のテンプル９を折り畳む時には、湾曲部１と連結部６をテンプル９に沿うように回動させることによって、コンパクトな形状に変形させて収納できるので便利である。
【０１２０】
本発明で言う眼鏡は、老眼鏡、伊達眼鏡、度付き眼鏡、鼻の低い人用眼鏡、ＴＶ・映画用３Ｄメガネ、サングラス、風防メガネ、カメラを取り付けたメガネ、拡大鏡メガネ、ライト付メガネ、剣道用メガネ、ウェアラブル機器付メガネ、画像観察用メガネ、拡張現実（ＡＲ）機能を備えたメガネ、手術用メガネである。
【実施例２０】
【０１２１】
第２０発明の耳装着具は、前記第三連結部８には、前記機器を前後、及び／又は、上下、及び／又は、左右に回動させる駆動部が設けられていることを特徴としている。
【０１２２】
図２３（ａ)はテンプル９を前後方向に摺動させる第十駆動部５０を前記第三連結部８に取り付けた一例を示す。この構成によれば、眼鏡にとって最も重要な角膜頂点間距離の調整が可能となる。図２３（ｂ)は前記第三連結部８に設けた第八関節３８に、前記第三連結部８を上下方向に回動させる第八駆動部４８を設けた一例を示す。この構成によれば、顔面の眼鏡を上下方向に動かすことができ、レンズの高さ調整が可能となる。
【０１２３】
図２３（ｃ)は前記第三連結部８に取り付けた第九駆動部４９でもって、テンプル９を左右方向に回動させる側面図である。第九駆動部４９は上下方向の軸回りに水平方向に回動可能に取り付けられているので、前記第三連結部８は左右方向の動きをして眼鏡の位置を調整する。このように、前後、上下、左右に動作する駆動部を取り付けることにより、眼鏡を適宜の位置に自動的に誘導することができる。
【実施例２１】
【０１２４】
第２１発明の耳装着具は、前記第一横振れ防止具２１、前記第二横振れ防止具２２を回動させる駆動部が設けられていることを特徴としている。
【０１２５】
図２４（ａ)は第２１発明の湾曲部１に取り付けた第一横振れ防止具２１に第一駆動部４１を設けた側面図である。第一駆動部４１は第一横振れ防止具２１を自動的に左右方向の動作をして、側頭との当接の強さを調整することができる。図２４（ｂ)は湾曲部１の後端に取り付けた第二横振れ防止具２２に、第二駆動部４２を設けた側面図である。第二駆動部４２は第二横振れ防止具２２を自動的に左右方向の動作をして、後頭部との当接の強さを調整することができる。
【実施例２２】
【０１２６】
第２２発明の耳装着具は、前記機器が、イヤホン５１、携帯電話器５２、マイクロホン５３、マスク係止具５４、耳つぼ指圧具５５、ウェアラブル機器５６、メガネ型動画プレイヤー５７、ビデオカメラ５８、双眼鏡５９の何れかであることを特徴としている。
【０１２７】
実施の形態の一例として、第２５（ａ)図は第２２発明の連結部６に取り付けたイヤホン５１を示す一実施形態の側面図である。連結部６の下端は外耳道に最も近い位置であり、イヤホン５１は取り付けが容易である。第２５（ｂ)図は第２２発明の湾曲部材１の先端から下方に取り付けたイヤホン５１を示す一実施形態の側面図である。イヤホン５１を外耳道に挿入するので、確実に固定される。第２５（ｃ)図は第２２発明の連結部６の下端に取り付けたイヤホン５１は外耳道に接しないように設けていることを示す一実施形態の側面図である。イヤースピーカーになるので、周辺の音も聞こえる。
【０１２８】
第２５（ｄ)図は第２２発明の連結部６に取り付けたイヤホン５１は耳介を覆っていること示す一実施形態の側面図である。連結部６に取り付けた第四関節３４により、イヤホン５１を外側に開けて着脱することができる。第２５（ｅ)図は第２２発明の耳装着型の携帯電話器５２を示す一実施形態の側面図である。外耳道に挿入しているイヤホン５１と耳甲介３に密着している耳挿入部４により、安定して保持することができる。着脱は第四関節３４を回動させてできる。第２５（ｆ)図は第２２発明の湾曲部１の先端に取り付けたマイクロホン５３を示す一実施形態の側面図である。着脱が容易にできる。
【０１２９】
第２５（ｇ)図は第２２発明の湾曲部１に取り付けた係止具５５にマスクの紐を引っ掛けてマスクをしている人を示す一実施形態の側面図である。係止具５５は湾曲部１にマスクが嵌る溝を設けるか、突起具を取り付けてそれに引っ掛けることができる。マスクの紐が耳介側頭溝２に直接接することがないので、マスクを長時間しても、マスクの紐を強くしても装着感は非常に良い。第２５（ｈ)図は第２２発明の湾曲部１の下端に耳つぼ指圧器５５を取り付けたことを示す一実施形態の側面図である。耳珠の中にある起点と言うツボを押して刺激するとダイエットの効果がある。第２５（ｉ)図は第２２発明の湾曲部１に血圧検出部、データ送信装置を取り付けた耳式血圧装置６０を示す一実施形態の側面図である。２４時間血圧の測定、記録ができる。図示しないが、ライト、カメラ、補聴器なども取り付けることができる。
【０１３０】
第２６（ａ)図は第２２発明のメガネ型のウェアラブル機器を示す一実施形態の側面図である。第三固定補助部１３、第四固定補助部１４を取り付けたことにより、後頭部で保持しているので、耳の負担が軽減される。第２６（ｂ)図は第２２発明のメガネ型動画プレイヤーを示す一実施形態の側面図である。今後、コンパクトに改良された時には、このような形状になると思われる。第２６（ｃ)図は第２２発明の耳装着型のビデオカメラを示す一実施形態の側面図である。人の目線のビデオ映像を撮ることができる。第２６（ｄ)図は第２２発明の耳装着型の双眼鏡を示す一実施形態の側面図である。第三固定補助部１３、第四固定補助部１４を取り付けたことにより、後頭部で保持しているので、耳の負担が軽減される。
【符号の説明】
【０１３１】
１    湾曲部
２    耳介側頭溝
３    耳甲介
４    耳挿入部
５    耳輪
６    連結部材
７    第二連結部
８    第三連結部
９    テンプル
１０  モダン
１１  固定補助部
１２  第二固定補助部
１３  第三固定補助部  
１４  第四固定補助部
１５  保持部
１６  支点
１７  珠間切痕
１８  ブロック
１９  溝  
２０  針金
２１  第一横振れ防止具
２２  第二横振れ防止具
３１  第一関節（第一横振れ防止部）
３２  第二関節（第二横振れ防止部）
３３  第三関節（連結部）
３４  第四関節（連結部）
３５  第五関節（耳挿入部）
３６  第六関節（固定補助部）
３７  第七関節（第二固定補助部）
３８  第八関節（第三連結部）
３９  第九関節（第三連結部）
４１  第一駆動部（第一横振れ防止部）
４２  第二駆動部（第二横振れ防止部）
４３  第三駆動部（連結部）
４４  第四駆動部（連結部）
４５  第五駆動部（耳挿入部）
４６  第六駆動部（固定補助部）
４７  第七駆動部（第二固定補助部）
４８  第八駆動部（第三連結部）
４９  第九駆動部（第三連結部）
５０  第十駆動部（第二連結部）
５１  イヤホン
５２  携帯電話器
５３  マイクロホン
５４  マスク係止具
５５  耳つぼ指圧具
５６  メガネ型ウェアラブル機器
５７  メガネ型動画プレイヤー
５８  ビデオカメラ
５９  双眼鏡
６０  耳式血圧装置
【図１】
2017173399.tif 000003
【図２】
2017173399.tif 000004
【図３】
2017173399.tif 000005
【図４】
2017173399.tif 000006
【図５】
2017173399.tif 000007
【図６】
2017173399.tif 000008
【図７】
2017173399.tif 000009
【図８】
2017173399.tif 000010
【図９】
2017173399.tif 000011
【図１０】
2017173399.tif 000012
【図１１】
2017173399.tif 000013
【図１２】
2017173399.tif 000014
【図１３】
2017173399.tif 000015
【図１４】
2017173399.tif 000016
【図１５】
2017173399.tif 000017
【図１６】
2017173399.tif 000018
【図１７】
2017173399.tif 000019
【図１８】
2017173399.tif 000020
【図１９】
2017173399.tif 000021
【図２０】
2017173399.tif 000022
【図２１】
2017173399.tif 000023
【図２２】
2017173399.tif 000024
【図２３】
2017173399.tif 000025
【図２４】
2017173399.tif 000026
【図２５】
2017173399.tif 000027
【図２６】
2017173399.tif 000028
【手続補正書】
【提出日】平成28年5月16日(2016.5.16)
【手続補正１】
【補正対象書類名】明細書
【補正対象項目名】全文
【補正方法】変更
【補正の内容】
【発明の詳細な説明】
【技術分野】
【０００１】
本発明は、人の頭部に装着して使用する製品を、耳で確実に保持するための耳装着具に関する。
【背景技術】
【０００２】
従来、ウェアラブル機器、眼鏡、イヤホン、携帯電話関連機器、双眼鏡などの製品は、耳に掛けたり、鼻パッドで保持したり、側頭部で挟持したりして装着している。例えば、ウェアラブル機器は、眼鏡に取り付けられており、その眼鏡は、モダンを耳介側頭溝に掛けることによって保持されている。イヤホンは、耳穴に挿入され、それを保持する装着具は、耳介側頭溝に掛けられている。携帯電話関連機器は、送信機器を取り付けたイヤホンを耳穴に挿入し、双眼鏡は、眼鏡型の鼻パッドを使用して眼前に保持している。
一方、製品を保持するための装着部を耳の耳介側頭溝に沿わせることはできても、人の耳の形状は様々であるから、頭を振った場合でもそれを耳に安定して固定させることは難しい。
【０００３】
この問題に対しては、例えば、下記特許文献１に記載されたものが知られている。
これは使用者の頭部に当接される頭部当接部２０と、その頭部当接部２０と対向する反対側において、眼鏡フレームのテンプル部が当接されるテンプル当接部３０と、テンプル当接部３０側に設けられたウェアラブル機器の機器接続部４０とを備え、テンプル当接部３０は、テンプル部の頭部側側面が当接する第１当接面を有することを特徴としたものである。また、ウェアラブル機器は、耳で固定されないので、ウェアラブル機器の重さは鼻パッドで支持することになる。そこで、特許文献２では、モダン１を耳殻７の外側の耳の付け根の形状に沿わせるとともに、このモダン１で左右側頭骨及び左右乳様突起を挟持し、モダン１の最終端に取り付けられて耳朶５の表面に当接する保持体９と、耳朶５の裏面から協働して耳朶５を挟持する挟持ストッパー２８と、耳朶５の下端を包むように当接する湾曲部３６が、耳朶５を安定して拘束する構成である。しかし、挟持ストッパー２８と協働する保持体９は、挟持する面積が小さく、固定するには不十分であると言う問題がある。
【先行技術文献】
【特許文献】
【０００４】
【特許文献１】特開２０１３−１１７５６７
【特許文献２】特開２０１５−１７９１３７
【発明の概要】
【発明が解決しようとする課題】
【０００５】
人の顔面や側頭部に装着して使用する機器は、鼻、耳、耳朶で支えるため、不安定であり、耳、鼻、耳朶への負荷が増大しており、そうした機器を長時間耳に装着することは苦痛を伴う問題である。本発明は、こうした問題を解決しようとするもので、顔面や側頭部に装着して使用する機器を、着脱容易にして、機器が重い場合であっても、確実に安定して固定することができ、しかも、耳の負担を軽減させ、頭部を激しく振っても、簡単には脱落しない装着感の良い耳装着具を提供することを課題とする。
【課題を解決するための手段】
【０００６】
第１発明の耳装着具は、顔に装着される機器を耳に掛けるための、前記機器に取り付け可能な耳装着具であって、耳介側頭溝の上部に嵌る湾曲部と、耳甲介に嵌り、その後方内面に沿う耳挿入部と、一端が耳の裏側に位置する前記湾曲部に連結され、他端が耳輪を乗り越えて耳の表側に位置する前記耳挿入部に連結される連結部とを備え、前記機器が装着されると、前記湾曲部を支点とし、前記耳挿入部が耳甲介の後方内面を押圧して、前記機器を顔前に保持することを特徴とする。
【０００７】
第２発明の耳装着具は、第１発明において、前記湾曲部の先端が、耳輪の内側の窪みに嵌る固定補助部を備えていることを特徴とする。
【０００８】
第３発明の耳装着具は、第１発明において、前記連結部が、耳輪の内側の窪みに嵌る第二固定補助部を備えていることを特徴とする。
【０００９】
第４発明の耳装着具は、第１発明において、前記湾曲部には、側頭及び／又は後頭に沿って伸びる第一横振れ防止具、第二横振れ防止具が備えられていていることを特徴とする。
【００１０】
第５発明の耳装着具は、第４発明の第一横振れ防止具、第二横振れ防止具が、関節を介して前記湾曲部に取り付けられて、側頭又は後頭に密着するように構成されていることを特徴とする。
【００１１】
第６発明の耳装着具は、第１、第２、第４、第５発明の前記湾曲部が、耳輪の裏面と側頭との隙間を埋めるブロックを備えていることを特徴とする。
【００１２】
第７発明の耳装着具は、第１発明又は第３発明において、前記耳挿入部が耳甲介の後方内面に当接するように、前記連結部の長さが調整可能であることを特徴とする。
【００１３】
第８発明の耳装着具は、第１発明において、前記湾曲部と前記連結部との連結端には第三関節、第四関節、並びに又は、前記連結部と前記耳挿入部との連結端には、前記耳挿入部を耳甲介に密着させるための第五関節が設けられていることを特徴とする。
【００１４】
第９発明の耳装着具は、第９発明において、前記湾曲部と前記連結部とが連結される関節には、互いに直交する２方向に動く第三関節、第四関節が設けられていることを特徴とする。
【００１５】
第１０発明の耳装着具は、第９発明において、前記第三関節の前記湾曲部に対する取り付け位置が変更できるように構成されていることを特徴とする。
【００１６】
第１１発明の耳装着具は、第１発明から第１０発明の前記湾曲部が前記機器を着脱自在に連結するための第二連結部を備えていることを特徴とする
【００１７】
第１２発明の耳装着具は、第２発明において、前記湾曲部と前記固定補助部との連結端には、耳輪の内側の窪みに密着させるための第六関節が設けられていることを特徴とする。
【００１８】
第１３発明の耳装着具は、第３発明において、前記連結部と前記第二固定補助部との連結端には、耳輪の内側の窪みに密着させるための第七関節が設けられていることを特徴とする。
【００１９】
第１４発明の耳装着具は、第１、第２、第６、第９、第１０、第１２発明の左右の前記湾曲部又は前記第三関節には、第三固定補助部が着脱可能に設けられていることを特徴とする。
【００２０】
第１５発明の耳装着具は、第１発明から第８発明又は第１１発明から１４発明の前記湾曲部、前記連結部、前記第二連結部、前記固定補助部、前記第二固定補助部、前記第三固定補助部、前記第一横振れ防止具、前記第二横振れ防止具、前記ブロックの何れもが変形する部材で構成されていることを特徴とする。
【００２１】
第１６発明の耳装着具は、第１発明から第８発明又は第１１発明から第１４発明の前記湾曲部、前記連結部、前記第二連結部、前記固定補助部、前記第二固定補助部、前記第三固定補助部、前記第一横振れ防止具、前記第二横振れ防止具、前記ブロックの何れもが弾性体で構成されていることを特徴とする。
【００２２】
第１７発明の耳装着具は、第８発明において、前記第三関節、前記第四関節、前記第五関節には、前記耳挿入部を回動させる駆動部が設けられていることを特徴とする。
【００２３】
第１８発明の耳装着具は、第１２発明又は第１３発明の前記第六関節、前記第七関節には、耳輪の内側の窪みに密着させるための駆動部が設けられていることを特徴とする。
【００２４】
第１９発明の耳装着具は、第１、第２、第４、第６、第９、第１２から第１６発明の前記機器が眼鏡であって、前記湾曲部が、テンプルをテンプル軸の方向に差し込んで、前記眼鏡を前後に摺動可能に保持する第三連結部を有し、前記第三連結部には、前記眼鏡を上下、及び／又は、左右に回動させる関節が設けられていることを特徴とする。
【００２５】
第２０発明の耳装着具は、第１９発明において、前記第三連結部には、前記眼鏡を前後、及び／又は、上下、及び／又は、左右に回動させる駆動部が設けられていることを特徴とする。
【００２６】
第２１発明の耳装着具は、第４、第５、第１５、第１６発明の前記第一横振れ防止具、前記第二横振れ防止具を回動させる駆動部が設けられていることを特徴とする。
【００２７】
第２２発明の耳装着具は、第１発明から第１８発明又は第２０発明又は第２１発明において、前記機器が、イヤホン、携帯電話器、マイクロホン、マスク係止具、耳つぼ指圧具、ウェアラブル機器、メガネ型動画プレイヤー、ビデオカメラ、双眼鏡、耳式血圧装置の何れかであることを特徴とする。
【発明の効果】
【００２８】
第１発明の耳装着具によれば、前記機器を装着したときに、前記湾曲部を支点とし、前記耳挿入部が耳甲介の後方内面を押圧して、前記機器が垂れ下るのを防止するから、耳の形が種々に異なっても、前記機器を顔前に安定して保持することができる。
【００２９】
第２発明によれば、前記固定補助部が耳輪の内側の窪みに嵌るから、耳の裏側の湾曲部と耳の表側の固定補助部とで耳輪を表裏から挟むことにより、眼前の機器をさらに安定させることができる。
【００３０】
第３発明によれば、耳輪の内側の窪みに嵌る第二固定補助部を備えているから、前述同様、耳輪を表裏から挟むことによって連結部を安定させ、これにより、眼前の機器をさらに安定させることができる。
【００３１】
第４発明によれば、前記湾曲部には、側頭及び／又は後頭に沿って伸びる第一横振れ防止具、第二横振れ防止具が備えられているから、眼前の機器の左右方向のぶれを阻止することができる。
【００３２】
第５発明によれば、側頭部に当接して前記機器の横振れを防ぐ前記第一横振れ防止具、前記第二横振れ防止具が、関節を介して側頭又は後頭に密着するように取り付けられているので、頭部の形状が一様でなくても、機器の横ぶれを防ぐとともに、機器の左右方向の正確な位置調整が可能となる。
【００３３】
第６発明によれば、前記湾曲部が、耳輪の裏面と側頭との隙間を埋めるブロックを備えているので、前記湾曲部がガタツキなく装着され、これにより、装着感を良くして、機器を眼前に確実に保持することができる。
【００３４】
第７発明によれば、前記連結部の長さが調整可能であるので、前記耳挿入部を様々な人の耳甲介の位置に合わせることができる。
【００３５】
第８発明によれば、第三関節、第四関節、第五関節によって前記耳挿入部を手で動かすことができるから、前記耳挿入部を耳甲介に密着させることと、その着脱が容易になる。
【００３６】
第９発明によれば、互いに直交する二方向に動く第三関節と第四関節によって前記連結部を三次元的に動かすことができるので、前記耳挿入部を耳甲介に嵌め込むことが容易になる。
【００３７】
第１０発明によれば、前記第三関節の取り付け位置が変更できるので、耳サイズに合わせて前記湾曲部と前記連結部との取り付け角度を変更することができる。
【００３８】
第１１発明によれば、前記湾曲部が前記機器を着脱自在に連結するための第二連結部を備えているので、従来の機器を簡単に装着することができる。
【００３９】
第１２発明によれば、第六関節により前記固定補助部を耳輪の内側の窪みに嵌めることが容易になる。
【００４０】
第１３発明によれば、第七関節により、同様に前記第二固定補助部を耳輪の内側の窪みに嵌めることが容易になる。
【００４１】
第１４発明によれば、第三固定補助部が着脱可能に設けられているので、前記機器を装着感の良い位置に調整して、後頭部に当接させることにより、それを確実に固定することができる。
【００４２】
第１５発明によれば、前記湾曲部、前記連結部、前記第二連結部、前記固定補助部、前記第二固定補助部、前記第三固定補助部、前記第一横振れ防止具、前記第二横振れ防止具、前記ブロックの何れもが変形する部材で構成されているので、それを装着する人に違和感を与えずに装着することができる。
【００４３】
第１６発明によれば、前記湾曲部、前記連結部、前記第二連結部、前記固定補助部、前記第二固定補助部、前記第三固定補助部、前記第一横振れ防止具、前記第二横振れ防止具、前記ブロックの何れもが弾性部材で構成されているので、関節を設けなくても、手の操作でもって様々な人の耳に簡単に嵌めることができる。
【００４４】
第１７発明によれば、前記第三関節、前記第四関節、前記第五関節には、前記耳挿入部を回動させる駆動部が設けられているので、手を使わずに駆動部をコントロールすることによって耳挿入部を自動的に装着することができる。
【００４５】
第１８発明によれば、前記第六関節、前記第七関節には、耳輪の内側の窪みに密着させるための駆動部が設けられているので、手を使わずに駆動部をコントロールすることによって自動的に密着させることができる。
【００４６】
第１９発明によれば、前記機器が眼鏡であって、前記湾曲部が、該眼鏡を前後にスライド可能に保持する第三連結部を有し、その第三連結部には、眼鏡を上下、及び又は、左右に回動させる関節が設けられているので、眼鏡を眼の上まで上げて保持することができるる。また、左右方向の正確な位置調整も可能となる。
【００４７】
第２０発明によれば、第三連結部の駆動部により前記眼鏡を前後、上下、左右方向に動かすことができるから、眼鏡のレンズの位置を自由にコントロールすることができる。
【００４８】
第２１発明によれば、第一横振れ防止具、第二横振れ防止具を回動させる駆動部が設けられているので、前記機器を前後、上下、左右方向に自動的に動かすことができる。
【００４９】
第２２発明によれば、イヤホン、携帯電話器、マイクロホン、マスク係止具、耳つぼ指圧具、ウェアラブル機器、メガネ型動画プレイヤー、ビデオカメラ、双眼鏡、耳式血圧装置など様々な機器を耳に装着することができる。
【図面の簡単な説明】
【００５０】
【図１】第１発明の実施例を示す斜視図、側面図である。
【図２】第２発明の実施例を示す側面図である。
【図３】第３発明の実施例を示す側面図である。
【図４】第４発明の実施例を示す側面図である。
【図５】第５発明の実施例を示す側面図である。
【図６】第６発明の実施例を示す斜視図である。
【図７】第７発明の実施例を示す側面図である。
【図８】第８発明の実施例を示す側面図である。
【図９】第８発明の実施例を示す側面図である。
【図１０】第９発明の実施例を示す側面図である。
【図１１】第１０発明の実施例を示す側面図である。
【図１２】第１１発明の実施例を示す斜視図である。
【図１３】第１２発明、第１３発明の実施例を示す側面図である。
【図１４】第１４発明の実施例を示す斜視図である。
【図１５】第１４発明の実施例を示す側面図である。
【図１６】第１５発明の実施例を示す側面図である。
【図１７】第１６発明の実施例を示す側面図である。
【図１８】第１７発明の実施例を示す側面図である。
【図１９】第１８発明、第１９発明の実施例を示す側面図である。
【図２０】第２０発明の実施例を示す側面図である。
【図２１】第２０発明の実施例を示す側面図である。
【図２２】第２１発明の実施例を示す側面図である。
【図２３】第２２発明の実施例を示す側面図である。
【図２４】第２３発明の実施例を示す側面図である。
【図２５】第２３発明の実施例を示す側面図である。
【発明を実施するための形態】
【００５１】
以下、本発明に係る耳装着具の実施形態を、様々な機器の中から眼鏡を一例として取り上げて図面を参照しながら説明する。
【実施例１】
【００５２】
第１発明の耳装着具は、顔に装着される機器を耳に掛けるための、前記機器に取り付け可能な耳装着具であって、耳介側頭溝２の上部に嵌る湾曲部１と、耳甲介３に嵌って後方の内面に沿う耳挿入部４と、一端が耳の裏側に位置する前記湾曲部１に連結され、他端が耳輪５を乗り越えて耳の表側に位置する前記耳挿入部４に連結される連結部６とを備え、前記機器が装着されると、前記湾曲部１を支点１６とし、前記耳挿入部４が耳甲介３の後方内面を押圧して、前記機器を顔前に保持することを特徴としている。
【００５３】
図１（ａ）は第１発明の眼鏡の一部を表した一実施形態の斜視図であり、図１（ｂ)は眼鏡を左耳にかけた側面図であり、図１（ｃ）は眼鏡が眼前に保持されるときの各部の作用を示す側面図である。これらの図において、湾曲部１は、眼鏡を装着する人の耳介側頭溝２の上部に嵌って側頭部と耳の裏側とに密着する形状をなしている。耳挿入部４は、深く入り込むイヤホン等と違って耳甲介３に浅く嵌ってその後方内面に沿う形状をなしている。連結部６は、一端が耳の裏側に位置する前記湾曲部１に連結され、他端が耳輪５を非接触にオーバーハングするアーチ形状をなして耳の表側に位置する前記耳挿入部４と連結されている。そして、眼鏡を装着すると、前記湾曲部１と耳介側頭溝２との接触箇所を支点１６として眼鏡が下方へ回転しようとするが、前記耳挿入部４が耳甲介３の後方内面を押圧して、眼鏡の回動を阻止するため、眼鏡が顔面の所定位置に保持される。
【００５４】
前記連結部６は、耳輪５をオーバーバングして前方斜め下方にアーチを描いて傾斜し、その先端に耳挿入部４が連結されている。この耳挿入部４は、軟骨のある耳甲介３の後方内面をソフトに押圧する形状である。耳甲介３には、耳甲介膣と耳甲介艇があるが、この場合の耳挿入部４は、これらの内の少なくとも一方の後方内面を押圧する形状であれば良い。
【００５５】
図１の実施形態では、耳挿入部４で、耳甲介３の後方内側を押圧して、眼鏡を顔前に保持するが、耳の内側は、凹凸した形状の部分が多数存在している。また、人によって凹凸の形状が異なるので、その人の凹凸の形状の中で、耳挿入部４が嵌り、そこから浮き上がらずに後方内側を押圧する形状にすることは勿論可能である。
【００５６】
本発明で言う眼鏡は、老眼鏡、度付きメガネ、ＴＶ・映画用３Ｄメガネ、伊達メガネ、サングラス、風防メガネ、カメラを取り付けたメガネ、拡大鏡を入れたメガネ、ライトを取り付けたメガネ、剣道用メガネ、ウェアラブル機器１５を取り付けたメガネ、スクリーンに表示される画像を観察するための画像観察用メガネ、拡張現実（ＡＲ）機能を備えたメガネ、手術用メガネである。
【００５７】
前記機器の取り付け位置は、図示しないが、その機器にはバッテリーや部品が付属しているので、その機器の重心が湾曲部１上に位置するように、バランスを考慮して取り付けることが望ましい。耳装着具を装着する方法は、最初に湾曲部１を耳介側頭溝２に掛けて嵌め、連結部６と耳挿入部４は軟骨でできている耳輪５を手で曲げ、耳挿入部４を耳甲介３に嵌めるようにして、耳輪５を連結部６内に入れれば、耳装着具は確実に固定される。
【００５８】
以下の図では、第１発明の構成部分と同様な部分については、その説明を省略又は簡略化し、第１発明と異なる部分の実施形態について説明する。
【実施例２】
【００５９】
第２発明の耳装着具は、前記湾曲部１の先端が、耳輪５の内側の窪みに嵌る固定補助部１１を備えていることを特徴としている。
【００６０】
図２は第２発明の固定補助部１１を湾曲部１の先端下部に取り付けた一実施形態の側面図である。固定補助部１１を湾曲部１の先端に取り付け、固定補助部１１を耳輪５の形状に合致した形状に湾曲させ、耳輪５の窪みに嵌め込むことにより、湾曲部１は動かなくなる。そして、耳装着具を側頭に寄せて固定することができる。
【００６１】
湾曲部１、連結部６の材質は、金属類、チタン、ステンレス、樹脂である。耳挿入部４の材質は、シリコンゴム、ＣＰ、ポリエステル、アセテート、ナイロン、ＰＶＣ、ポリアミド、ニュクレル、形状記憶樹脂、スポンジ、ベータプラスチック、肌の温度で変形する樹脂などである。耳に接する部分、耳甲介３に接する部分は柔軟な素材が適している。
【実施例３】
【００６２】
第３発明の耳装着具は、前記連結部６が、耳輪５の内側の窪みに嵌る第二固定補助部１２を備えていることを特徴としている。
【００６３】
図３は第３発明の第二固定補助部１２を連結部６に取り付けた状態の一実施形態の側面図である。第二固定補助部１２を連結部６に取り付け、第二固定補助部１２を耳輪５の内側の形状に合致した形状に湾曲させ、耳輪５の窪みに嵌め込むことにより、連結部６は動かなくなり、外れなくなる。そして、眼鏡を側頭に寄せて固定することができる。
【実施例４】
【００６４】
第４発明の耳装着具は、前前記湾曲部１には、側頭及び／又は後頭に沿って伸びる第一横振れ防止具２１、第二横振れ防止具２２が備えられていることを特徴としている。
【００６５】
図４（ａ)は第４発明の第一横振れ防止具２１を前記湾曲部１の先端に取り付け、第二横振れ防止具２２を前記湾曲部１の後端に取り付けた状態の一実施形態の側面図である。湾曲部１の前後に第一横振れ防止具２１、第二横振れ防止具２２を取り付けて側頭に密着させているので、左右方向の振れを阻止できる。
【００６６】
図４（ｂ)は第４発明の第二横振れ防止具２２を前記湾曲部１の後端に取り付けた状態の一実施形態の側面図である。第二横振れ防止具２２を後頭に沿って内側に湾曲させているので、耳装着具はより安定して保持できる。第二横振れ防止具２２を後頭に沿って延設する長さは限定されない。
【実施例５】
【００６７】
第５発明の耳装着具は、第一横振れ防止具２１、第二横振れ防止具２２は、関節を介して前記湾曲部１に取り付けられて、側頭又は後頭に密着するように構成されていることを特徴としている。
【００６８】
図５（ａ)は第５発明の眼鏡に第一横振れ防止具２１を取り付けたことを示す一実施形態の側面図である。湾曲部１の先端に取り付けた上下方向の軸を中心として水平方向に回動可能に取り付けた第一横振れ防止具２１を設けることにより、第一横振れ防止具２１が側頭に当接して横ぶれを防ぐことができる。
【００６９】
図５（ｂ)は第５発明の眼鏡に第二横振れ防止具２２を取り付けたことを示す一実施形態の側面図である。第二横振れ防止具２２は湾曲部１の後端部に取り付け、後頭部の側頭に当接して横ぶれを防止することができる。第二横振れ防止具２２の取り付け位置は、湾曲部１上にあり、側頭に当接できれば、どの位置であっても作用効果はある。
【００７０】
図５（ｃ)は第５発明の第一横振れ防止具２１、第二横振れ防止具２２を一眼用ウェアラブル機器に取り付けたことを示す一実施形態の側面図である。湾曲部１の先端に第一横振れ防止具２１を取り付け、支点１６となる湾曲部１と、湾曲部１の後端に第二横振れ防止具２２取り付けることにより、側頭を三点で当接することができる。図示しないが、前述の固定補助部１１、第二固定補助部１２を取り付けることにより確実に保持することができる。
【実施例６】
【００７１】
本第６発明の耳装着具は、前記湾曲部１が、耳輪の５裏と側頭との隙間を埋めるブロック１８を備えていることを特徴としている。
【００７２】
図６（ａ)は第６発明のブロック１２を取り付けた眼鏡を耳に掛けた人の一実施形態の斜視図である。耳輪５の裏側と側頭との隙間に嵌ってそれらに密着する形状のブロック１２を湾曲部１と一体化させて耳輪５の裏側に設けているので、側面からはブロック１２は目立たないし、耳輪５の裏側と側頭とに密着しているので、装着感は良い。そして、ブロック１２は、中を空洞にした形状でも良い。
【００７３】
図６（ｂ)は第６発明のブロック１２に細い連結部６を取り付けた眼鏡を耳に掛けた人の斜視図である。ブロック１２で耳輪５の裏側と側頭との隙間を固定していれば、細い連結部６や細いテンプル９であっても、シンプルに保持することができる。
【実施例７】
【００７４】
第７発明の耳装着具は、前記耳挿入部４が耳甲介３の後方内面に当接するように、前記連結部６の長さが調整可能であることを特徴としている。
【００７５】
図７（ａ)は第７発明の眼鏡の連結部６が入れ子式に構成されて、連結部６の長さが調整可能であることを示す一実施形態の側面図である。図７（ｂ)は入れ子式の連結部６に取り付けた耳挿入部４を、下方に下げて連結部６の長さを長くしたことを示す側面図である。これにより、大きさの異なる様々な人の耳甲介３に対応できるようにしている。
【実施例８】
【００７６】
第８発明の耳装着具は、前記湾曲部１と前記連結部６との連結端には第三関節３３、第四関節３４、並びに又は、前記連結部６と前記耳挿入部４との連結端には、前記耳挿入部４を耳甲介に密着させるための第五関節３５が設けられていることを特徴としている。
【００７７】
図８（ａ）は第三関節３３、第四関節３４の一実施形態の側面図を示し、図８（ｂ）は連結部６が第三関節３３を構成する水平方向の軸回りに矢印方向に回動可能であることを示す側面図である。この実施形態では、連結部６を反時計方向に一定範囲回動させると、第三関節３３の回動が規制されるようになっている。図８（ｃ）は、機器を眼前に装着して耳挿入部４を耳甲介３に密着させると、湾曲部１と耳介側頭溝２との接触部分が支点１６となって眼鏡が反時計方向へ回動するのを、耳挿入部４が耳甲介３を押圧することによって阻止する様子を示す。人の耳甲介３には、耳甲介膣と耳甲介艇があるので、窪みのある後方内面であれば押圧する場所は限定されない。
【００７８】
図９（ａ）は、前記連結部６と前記耳挿入部４との連結端に別の第五関節３５を取り付けた一実施形態の側面図であり、図９（ｂ）はこの第五関節３５が回動可能であることを示す側面図である。これにより、耳挿入部４を回動させて耳甲介３に密着させることができる。図９（ｃ）は連結部６と耳挿入部４との間に取り付けた第五関節３５から耳挿入部４を外した状態を示す説明図である。
【００７９】
湾曲部１、連結部６の材質は、シリコンゴム、ＣＰ、ポリエステル、アセテート、ＰＶＣ、ポリアミド、ニュクレル、形状記憶樹脂、スポンジ、ベータプラスチックなどである。耳挿入部４の材質として、エラストマーゲル状ウレタンは人肌のように柔軟な部材である。また、肌の温度で変形する樹脂も耳甲介３に接する部分に適している。
【実施例９】
【００８０】
第９発明の耳装着具は、前記湾曲部１と前記連結部６とが連結される関節には、互いに直交する２方向の前記第三関節３３、第四関節３４が設けられていることを特徴としている。
【００８１】
図１０は第９発明に係る関節の一実施形態を示し、図１０（ａ)は眼鏡を耳にかけるときに、水平方向の軸回りに回動する第三関節３３によって、前記連結部６と耳挿入部４が矢印方向に回動可能となっていることを示す側面図である。また、第三関節３３の回転軸は、第四関節３４の回転軸とは直交する方向に設けられている。これにより、連結部６に取り付けた耳挿入部４を耳から外側に離しながら、耳挿入部４を上方に持ち上げることができる。このとき、連結部６を後方へ持ち上げるだけで、第三関節３３、第四関節３４は互いに連動して回動するから、湾曲部１を耳介側頭溝２に掛け易くしている。図１０（ｂ)は第四関節３４によって、耳挿入部４が矢印方向の内側に回動可能であり、これにより耳挿入部４を耳甲介３の中に入れ易くしている。
【００８２】
図１０（ｃ)は外側に開いていた耳挿入部４を矢印方向に回動させて、耳挿入部４を耳甲介３の窪みの中心に入れた状態を示す側面図である。連結部６に取り付けられた耳挿入部４を耳甲介３の窪みの奥まで回動させ、窪みの中央に入れている。図１０（ｄ)は耳挿入部４を耳甲介３の窪みに入れた後、耳甲介３の後方内面に密着させるために、第三関節３３により矢印の方向に耳挿入部４を回動させ、後方内面に当接させたことを示す側面図である。
【００８３】
実施の形態の一例として、前記湾曲部１と前記連結部６との間に連結されている第三関節３３、第四関節３４は、耳輪５と側頭との隙間に嵌るブロック部材内に設けられ、第三関節３３、第四関節３４が回動し易い場所に設けられて、横ぶれしないように固定されている。互いに直交する方向に回動する二つの第三関節３３と第四関節３４が連動して、耳挿入部４を三次元的に動かすことにより、耳挿入部４を凹状で奥に窪んだ耳甲介３の後方内面にコントロールしながら到達させ、眼鏡を装着することができる。
【実施例１０】
【００８４】
第１０発明の耳装着具は、前記第三関節３３の前記湾曲部１に対する取り付け位置が、変更できるように構成されていることを特徴としている。
【００８５】
図１１（ａ)は第１０発明の第三関節３３の湾曲部１への取り付け位置の一例を示す側面図であり、図１１（ｂ)は、その取り付け位置を上方に変更したことを示す側面図である。様々な人の耳に合わせるために、第三関節３３を耳挿入部４に取り付ける位置を変更して、最適な位置で機器が装着できるようにしている。第三関節３３の位置を変更することは、連結部６や耳挿入部４を装着する角度が適宜の位置に変わり、装着感を良くすることができる。
【実施例１１】
【００８６】
第１１発明の耳装着具は、前記湾曲部１が前記機器を着脱自在に連結するための第二連結部７を備えていることを特徴としている。
【００８７】
図１２（ａ)は第１１発明の第二連結部７を湾曲部１の先端下部に設けたことを示す眼鏡の一実施形態の斜視図である。湾曲部１の先端部と後端部にテンプル９、モダン１０を挟み込む溝１９を設け、この溝１９にテンプル９、モダン１０を嵌め込んで固定している。溝１９は材質を弾性部材で製作しているので、基本的な形状のテンプル９、モダン１０を挟んで固定することができる。
【００８８】
図１２（ｂ)は第１１発明の第二連結部７を湾曲部１の上部側に設けたことを示す眼鏡の一実施形態の斜視図である。湾曲部１の先端部と後端部の上部側にテンプル９とモダン１０を挟み込む溝１９を設け、この溝１９にテンプル９とモダン１０を嵌め込んで固定している。溝１９は弾性部材で構成されているので、基本的な形状のテンプル９、モダン１０を挟み保持することができる。
【００８９】
第１１発明の第二連結部７は、強い力で挟持できる溝１９を取り付けたことにより、溝１９に嵌め込んだテンプル９は前後方向に自由に移動させることができるので、レンズと目との間を示す角膜頂点間距離１２ｍｍの調整が可能となる。そして、連結部６に取り付けた耳挿入部４を耳甲介３に密着させた後、第一関節３３を利用して、眼鏡の上下方向の位置の微調整もすることができる。したがって、市販された眼鏡を装着している人の眼鏡に取り付けて、装着感の良い眼鏡として便利に使用することができる。
【００９０】
第１１発明の眼鏡は、湾曲部１、連結部６、耳挿入部４で耳甲介３に確実に保持されるので、眼鏡のブリッジと鼻パッドを省略して使用することができる。
【実施例１２】
【００９１】
第１２発明の耳装着具は、前記湾曲部１と前記固定補助部１１との連結端には、耳輪５の内側の窪みに密着させるための第六関節３６が設けられていることを特徴としている。
【００９２】
図１３（ａ）は第１２発明の第六関節３６の一実施形態として、湾曲部１の先端下部に鉛直方向の回転軸を有する関節を示し、図１３（ｂ)はその第六関節３６により前記固定補助部１１を耳輪５の窪みから外して外側に回動させ状態の側面図を示す。この第六関節３６により耳輪５の窪みの奥に嵌った前記固定補助部１１を耳から外すことが容易になる。
【実施例１３】
【００９３】
第１３発明の耳装着具は、前記連結部６と前記第二固定補助部１２との連結端には、耳輪５の内側の窪みに密着させるための第七関節３７が設けられていることを特徴としている。
【００９４】
図１３（ｃ）は第１３発明の第七関節３７の一実施形態を示し、図１３（ｄ)は第七関節３７により前記第二固定補助部１２を耳輪５の窪みから外したことを示す側面図である。この第七関節３７は、前記連結部６に紙面と直交する方向に設けた回転軸に第二固定補助部１２を矢印方向に回動可能に取り付けたもので、これにより、耳輪５の窪みの奥に嵌った前記第二固定補助部１２を耳から外すことが容易になる。
【実施例１４】
【００９５】
第１４発明の耳装着具は、左右の前記湾曲部１又は前記第三関節３３には、第三固定補助部１３が着脱可能に設けられていることを特徴としている。
【００９６】
図１４（ａ）は第１４発明の第三固定補助部１３を左右の前記湾曲部１の各後端に取り付けた一実施形態の斜視図であり、図１４（ｂ)は第１４発明の第三固定補助部１３を各前記第三関節３３の各後端に取り付けた一実施形態の斜視図である。第三固定補助部１３が側頭から後頭に掛けて密着するので、左右の前記湾曲部１、各前記第三関節３３が非常に安定して側頭に当接することになる。
【００９７】
図１５（ａ)は、第１４発明の第三固定補助部１３を各前記第三関節３３の各後端に取り付け、双眼鏡を取り付けた眼鏡を掛けた人の一実施形態の側面図である。第三固定補助部１３が後頭部全体に当接して、重量のある双眼鏡取り付けた眼鏡を装着した場合、双眼鏡の重量は第三固定補助部１３によって受け止められ、長時間装着しても装着感が良く安定して固定することができる。
【００９８】
図１５（ｂ)は第１４発明の第三固定補助部１３を前記第三関節３３の後端に取り付けた一実施形態の斜視図であり、図１５（ｃ)は第１４発明の第三固定補助部１３を矢印の示す方向に引き上げた状態を示す一実施形態の側面図ある。第三固定補助部１３を引き上げ、連結部６が矢印の方向に回動し、耳挿入部４が耳甲介３に押し圧して停止した時に、眼鏡は固定される。このようにして重い双眼鏡も装着することができる。
【実施例１５】
【００９９】
第１５発明の耳装着具は、前記湾曲部１、前記連結部６、前記第二連結部７、前記固定補助部１１、前記第二固定補助部１２、前記第三固定補助部１３、前記第一横振れ防止具２１、前記第二横振れ防止具２２、前記ブロック１８の何れもが変形する部材で構成されていることを特徴としている。
【０１００】
図１６（ａ)は、第１５発明の変形部材で形成された湾曲部１の側面図を示す。湾曲部１は変形部材で形成されているので、一定以上の力を加えると変形するが、耳介側頭溝２に嵌め込んだ場合は、適宜の力で挟むことができる。耳介側頭溝２が湾曲部１に当接する位置は、前述の支点１６となる。耳介側頭溝２の形状に合わせた支点１６は安定性が良く、装着感も良い。耳挿入部４を耳甲介３に密着させることにより、長時間装着しても違和感はない。図１６（ｂ)は、第１５発明の連結部６が変形部材で形成されている側面図を示す。一定以上の力を加えると外側に曲がり、放しても元に戻らないようになっている。
【０１０１】
図１６（ｃ)は第１５発明の変形部材で構成された固定補助部１１を示す側面図である。固定補助部材１１を耳輪５の内側の窪みの形状に変形させることにより、軟骨である耳輪５の上端部の窪みに、固定補助部１１を簡単に嵌め込むことができる。この固定補助部１１の作用効果により、眼鏡は側頭部に固定される。図１６（ｄ)は第１５発明の変形部材で構成された第二固定補助部１２を示す側面図である。第二固定補助部１２を耳輪５の内側の窪みの形状に変形させることにより、固定補助部１２を耳輪５の上端部の窪みに簡単に嵌め込むことができる。
【０１０２】
図示しないが、第一横振れ防止具２１、第二横振れ防止具２２、ブロック１８を変形部材にすることにより、耳の形状が僅かに異なる多く人が装着可能となり、同じ型の耳装着具を多くの人が併用できるので標準型となる。
【実施例１６】
【０１０３】
第１６発明の耳装着具は、前記湾曲部１、前記連結部６、前記第二連結部７、前記固定補助部１１、前記第二固定補助部１２、前記第三固定補助部１３、前記第一横振れ防止具２１、前記第二横振れ防止具２２、前記ブロック１８の何れもが弾性部材で構成されていることを特徴としている。
【０１０４】
図１７（ａ)は、第１６発明の湾曲部１の中に入れた針金２０を、装着する人の耳介側頭溝２の形状に合わせている側面図を示す。湾曲部１は針金２０を芯に入れて形成されているので、一定以上の力を加えると変形するが、機器を装着した状態では変形しないようになっている。耳介側頭溝２が湾曲部１に当接する位置は、前述の支点１６となる。耳介側頭溝２の形状に合わせた支点１６は安定性が良く、装着感も良い。耳挿入部４を耳甲介３に密着させることにより、長時間装着しても違和感はない。
【０１０５】
図１７（ｂ)は、第１６発明の弾性部材で構成された連結部６の一例を示す側面図である。この場合には、前述の第四関節３４がなくても、耳装着具を着脱する時に、耳の耳輪５に接しないように連結部６を外側に簡単に広げることができる。耳甲介３に嵌め込む時も、自由に曲がる弾性部材の作用効果で、珠間切痕１７を避けて耳甲介３の窪みに合わせることは容易である。耳の形状が僅かに異なっても装着可能となるので、標準的な型となる。
【０１０６】
図１７（ｃ)は第１６発明の弾性部材で構成される固定補助部１１を示す側面図である。この場合には、前述の第五関節３５を設けなくても、固定補助部１１を取り付けて耳装着具を装着する時は、耳輪５の内側の窪みに嵌め込まないと耳装着具を固定できない。固定補助部１１を変形部材で形成させることにより、固定補助部１１を曲げて簡単に窪みに嵌めることができる。固定補助部１１の作用効果により、耳装着具は側頭部に固定される。
【０１０７】
実施の形態の一例として、第１７（ｃ)図は第１６発明の弾性部材を取り付けた第二固定補助部１２を示す側面図である。第二固定補助部１２を取り付けて耳装着具を装着する時は、耳輪５の内側の窪みに嵌め込まないと耳装着具を固定できない。第二固定補助部１２を変形部材で形成させることにより、第二固定補助部１２を曲げて簡単に耳輪５の上端部の窪みに嵌めることができる。第二固定補助部１２の作用効果により、耳装着具は側頭部に固定される。
【０１０８】
図示しないが、第一横振れ防止具２１、第二横振れ防止具２２、ブロック１８を弾性部材にすることにより、耳の形状が僅かに異なる多く人が装着可能となり、同じ型の耳装着具を多くの人が併用できるので標準型となる。
【実施例１７】
【０１０９】
第１７発明の耳装着具は、前記第三関節３３、前記第四関節３４、前記第五関節３５には、前記耳挿入部４を回動させる駆動部が設けられていることを特徴としている。
【０１１０】
図１８（ａ)は第１７発明の第三関節３３には、連結部６を水平方向の軸を中心として前後方向に回動させる第一駆動部４１が取り付けられ、第四関節３４には、連結部６を上下方向の軸を中心として前後方向に回動させる第二駆動部４２が取り付けられていることを示す側面図である。ブロック１８に取り付けられた第一駆動部４１と第二駆動部４２を連動させることにより、耳挿入部４を耳甲介３の窪みに自動的に移動させて後方内面に当接させることができる。
【０１１１】
図１８（ｂ)は第１７発明の第五関節３５には、耳挿入部４を耳に沿って回転させる第三駆動部４３が設けられていることを示す側面図である。水平方向の軸回りに耳挿入部４を回動させる第三駆動部４３は、耳甲介３の中に入った耳挿入部４を矢印方向に回動させることにより、耳挿入部４を後方内面に密着させることができる。
【実施例１８】
【０１１２】
第１８発明の耳装着具は、前記第六関節には、耳輪の内側の窪みに密着させるための駆動部が設けられていることを特徴としている。
【０１１３】
図１９（ａ)は第１８発明の第六関節３６には、前記固定補助部１１を耳輪５の内側の窪みに密着させるための第六駆動部４６が設けられている一実施形態の側面図である。耳輪５の内側の窪みに前記固定補助部１１を自動的に入れるために、第六関節３６は外側方向斜め下方から上方に回動させて、前記固定補助部１１を斜め下方から耳輪５の内側の窪みに嵌まるように設けられている。
【実施例１９】
【０１１４】
第１９発明の耳装着具は、前記第七関節には、耳輪の内側の窪みに密着させるための駆動部が設けられていることを特徴としている。
【０１１５】
図１９（ｂ）は第１９発明の第七関節３７には、前記第二固定補助部１１を耳輪５の内側の窪みに密着させるための第七駆動部４７が設けられている一実施形態の側面図を示す。耳輪５の内側の窪みに記第二固定補助部１２を入れるには、前記第七関節３７は下方から上方に回動するように設けられている。
【実施例２０】
【０１１６】
第２０発明の耳装着具は、前記湾曲部が、前記機器を軸の方向に差し込んで、前記機器を前後に摺動可能に保持する第三連結部を有し、前記第三連結部には、前記機器を上下、及び／又は、左右に回動させる関節が設けられていることを特徴としている。
【０１１７】
図２０（ａ)は第２０発明の眼鏡の前記湾曲部１に取り付けられる第三連結部８には、テンプル９をテンプル軸の方向に差し込んで保持する保持部１５が形成され、その保持部１５が左右方向に回動する第八関節３８を設けることにより、湾曲部１に対して前記第三連結部８が水平方向に回動可能に取り付けられていることを示す一実施形態の側面図である。保持部１５にテンプル９を挿入すると、密着させることができる。図２０（ｂ)は第２０発明の眼鏡の前記湾曲部１に対して第三連結部８が上下方向に回動する第九関節３９を設けることにより、第三連結部８が湾曲部材１に対し、上下方向に回動することを示す一実施形態の側面図である。前記テンプル９をテンプル軸に挿入すると、眼鏡のレンズ部を適宜の目の高さに合わせることができる。
【０１１８】
図２０（ｃ)は第２０発明の湾曲部１先端に取り付けた第三連結部８に保持したテンプル９が、前後方向に摺動可能にすることを示す一実施形態の側面図である。湾曲部１に対してテンプル９が上下方向に折り曲がる第九関節３９を設けているので、前後方向の調整も可能である。最も重要なレンズ部と目との間の角膜頂点間距離の調整が可能である。
【０１１９】
第三連結部８の別の作用効果を説明する。図２１（ａ)は第２０発明の第三連結部８を取り付けた眼鏡を前方に出したことを示す一実施形態の側面図であり、図２１（ｂ)は眼鏡を前方に出した後、上方に押し上げて固定した状態を示す側面図である。したがって、この場合の第九関節３９は、眼鏡を顔面から上方に上げると、締まって拘束されるようになっている。こうすれば、眼鏡を使用しない時にレンズ部を退避させる方法として便利に使用することができる。図示しないが、眼鏡をかける時に、また、眼鏡のテンプル９を折り畳む時には、湾曲部１と連結部６をテンプル９に沿うように回動させることによって、コンパクトな形状に変形させて収納できるので便利である。
【０１２０】
本発明で言う眼鏡は、老眼鏡、伊達眼鏡、度付き眼鏡、鼻の低い人用眼鏡、ＴＶ・映画用３Ｄメガネ、サングラス、風防メガネ、カメラを取り付けたメガネ、拡大鏡メガネ、ライト付メガネ、剣道用メガネ、ウェアラブル機器付メガネ、画像観察用メガネ、拡張現実（ＡＲ）機能を備えたメガネ、手術用メガネである。
【実施例２１】
【０１２１】
第２１発明の耳装着具は、前記第三連結部８には、前記眼鏡を前後、及び／又は、上下、及び／又は、左右に回動させる駆動部が設けられていることを特徴としている。
【０１２２】
図２２（ａ)はテンプル９を前後方向に摺動させる第十駆動部５０を前記第三連結部８に取り付けた一例を示す。この構成によれば、眼鏡にとって最も重要な角膜頂点間距離の調整が可能となる。図２２（ｂ)は前記第三連結部８に設けた第八関節４８に、前記第三連結部８を上下方向に回動させる第八駆動部４８を設けた一例を示す。この構成によれば、顔面の眼鏡を上下方向に動かすことができ、レンズの高さ調整が可能となる。
【０１２３】
図２２（ｃ)は前記第三連結部８に取り付けた第九駆動部４９でもって、テンプル９を左右方向に回動させる側面図である。第九駆動部４９は上下方向の軸回りに水平方向に回動可能に取り付けられているので、前記第三連結部８は左右方向の動きをして眼鏡の位置を調整する。このように、前後、上下、左右に動作する駆動部を取り付けることにより、眼鏡を適宜の位置に自動的に誘導することができる。
【実施例２２】
【０１２４】
第２２発明の耳装着具は、前記第一横振れ防止具２１、前記第二横振れ防止具２２を回動させる駆動部が設けられていることを特徴としている。
【０１２５】
図２３（ａ)は第２２発明の湾曲部１に取り付けた第一横振れ防止具２１に第一駆動部４１を設けた側面図である。第一駆動部４１は第一横振れ防止具２１を自動的に左右方向の動作をして、側頭との当接の強さを調整することができる。図２３（ｂ)は湾曲部１の後端に取り付けた第二横振れ防止具２２に、第二駆動部４２を設けた側面図である。第二駆動部４２は第二横振れ防止具２２を自動的に左右方向の動作をして、後頭部との当接の強さを調整することができる。
【実施例２３】
【０１２６】
第２３発明の耳装着具は、前記機器が、イヤホン５１、携帯電話器５２、マイクロホン５３、マスク係止具５４、耳つぼ指圧具５５、ウェアラブル機器５６、メガネ型動画プレイヤー５７、ビデオカメラ５８、双眼鏡５９、耳式血圧装置６０の何れかであることを特徴としている。
【０１２７】
実施の形態の一例として、第２４（ａ)図は第２３発明の連結部６に取り付けたイヤホン５１を示す一実施形態の側面図である。連結部６の下端は外耳道に最も近い位置であり、イヤホン５１は取り付けが容易である。第２４（ｂ)図は第２３発明の湾曲部材１の先端から下方に取り付けたイヤホン５１を示す一実施形態の側面図である。イヤホン５１を外耳道に挿入するので、確実に固定される。第２４（ｃ)図は第２３発明の連結部６の下端に取り付けたイヤホン５１は外耳道に接しないように設けていることを示す一実施形態の側面図である。イヤースピーカーになるので、周辺の音も聞こえる。
【０１２８】
第２４（ｄ)図は第２３発明の連結部６に取り付けたイヤホン５１は耳介を覆っていること示す一実施形態の側面図である。連結部６に取り付けた第四関節３４により、イヤホン５１を外側に開けて着脱することができる。第２４（ｅ)図は第２３発明の耳装着型の携帯電話器５２を示す一実施形態の側面図である。外耳道に挿入しているイヤホン５１と耳甲介３に密着している耳挿入部４により、安定して保持することができる。着脱は第四関節３４を回動させてできる。第２４（ｆ)図は第２２発明の湾曲部１の先端に取り付けたマイクロホン５３を示す一実施形態の側面図である。着脱が容易にできる。
【０１２９】
第２４（ｇ)図は第２３発明の湾曲部１に取り付けた係止具５５にマスクの紐を引っ掛けてマスクをしている人を示す一実施形態の側面図である。係止具５５は湾曲部１にマスクが嵌る溝を設けるか、突起具を取り付けてそれに引っ掛けることができる。マスクの紐が耳介側頭溝２に直接接することがないので、マスクを長時間しても、マスクの紐を強くしても装着感は非常に良い。第２４（ｈ)図は第２３発明の湾曲部１の下端に耳つぼ指圧器５５を取り付けたことを示す一実施形態の側面図である。耳珠の中にある起点と言うツボを押して刺激するとダイエットの効果がある。図示しないが、ライト、カメラ、補聴器なども取り付けることができる。
【０１３０】
第２５（ａ)図は第２３発明のメガネ型のウェアラブル機器を示す一実施形態の側面図である。第三固定補助部１３、第四固定補助部１４を取り付けたことにより、後頭部で保持しているので、耳の負担が軽減される。第２５（ｂ)図は第２３発明のメガネ型動画プレイヤーを示す一実施形態の側面図である。今後、コンパクトに改良された時には、このような形状になると思われる。第２５（ｃ)図は第２３発明の耳装着型のビデオカメラを示す一実施形態の側面図である。人の目線のビデオ映像を撮ることができる。第２５（ｄ)図は第２３発明の耳装着型の双眼鏡を示す一実施形態の側面図である。第三固定補助部１３、第四固定補助部１４を取り付けたことにより、後頭部で保持しているので、耳の負担が軽減される。
【符号の説明】
【０１３１】
１    湾曲部
２    耳介側頭溝
３    耳甲介
４    耳挿入部
５    耳輪
６    連結部
７    第二連結部
８    第三連結部
９    テンプル
１０  モダン
１１  固定補助部
１２  第二固定補助部
１３  第三固定補助部  
１５  保持部
１６  支点
１８  ブロック
１９  溝  
２０  針金
２１  第一横振れ防止具
２２  第二横振れ防止具
３１  第一関節（第一横振れ防止部）
３２  第二関節（第二横振れ防止部）
３３  第三関節（連結部）
３４  第四関節（連結部）
３５  第五関節（耳挿入部）
３６  第六関節（固定補助部）
３７  第七関節（第二固定補助部）
３８  第八関節（第三連結部）
３９  第九関節（第三連結部）
４１  第一駆動部（第一横振れ防止部）
４２  第二駆動部（第二横振れ防止部）
４３  第三駆動部（連結部）
４４  第四駆動部（連結部）
４５  第五駆動部（耳挿入部）
４６  第六駆動部（固定補助部）
４７  第七駆動部（第二固定補助部）
４８  第八駆動部（第三連結部）
４９  第九駆動部（第三連結部）
５０  第十駆動部（第三連結部）
５１  イヤホン
５２  携帯電話器
５３  マイクロホン
５４  マスク係止具
５５  耳つぼ指圧具
５６  ウェアラブル機器
５７  メガネ型動画プレイヤー
５８  ビデオカメラ
５９  双眼鏡
６０  耳式血圧装置
【手続補正２】
【補正対象書類名】特許請求の範囲
【補正対象項目名】全文
【補正方法】変更
【補正の内容】
【特許請求の範囲】
【請求項１】
顔に装着される機器を耳に掛けるための、前記機器に取り付け可能な耳装着具であって、耳介側頭溝の上部に嵌る湾曲部と、耳甲介に嵌り、その後方内面に沿う耳挿入部と、一端が耳の裏側に位置する前記湾曲部に連結され、他端が耳輪を乗り越えて耳の表側に位置する前記耳挿入部に連結される連結部とを備え、前記機器が装着されると、前記湾曲部を支点とし、前記耳挿入部が耳甲介の後方内面を押圧して、前記機器を顔前に保持することを特徴とする耳装着具。
【請求項２】
前記湾曲部の先端が、耳輪の内側の窪みに嵌る固定補助部を備えていることを特徴とする請求項１に記載の耳装着具。
【請求項３】
前記連結部が、耳輪の内側の窪みに嵌る第二固定補助部を備えていることを特徴とする請求項１に記載の耳装着具。
【請求項４】
前記湾曲部には、側頭及び／又は後頭に沿って伸びる第一横振れ防止具、第二横振れ防止具が備えられていていることを特徴とする請求項１に記載の耳装着具。
【請求項５】
前記第一横振れ防止具、前記第二横振れ防止具が、関節を介して前記湾曲部に取り付けられて、側頭又は後頭に密着するように構成されていることを特徴とする請求項４に記載の耳装着具。
【請求項６】
前記湾曲部が、耳輪の裏面と側頭との隙間を埋めるブロックを備えていることを特徴とする請求項１又は２又は４又は５の何れかに記載の耳装着具。
【請求項７】
前記耳挿入部が耳甲介の後方内面に当接するように、前記連結部の長さが調整可能であることを特徴とする請求項１又は３に記載の耳装着具。
【請求項８】
前記湾曲部と前記連結部との連結端には第三関節、第四関節、並びに又は、前記連結部と前記耳挿入部との連結端には、前記耳挿入部を耳甲介に密着させるための第五関節が設けられていることを特徴とする請求項１に記載の耳装着具。
【請求項９】
前記湾曲部と前記連結部とが連結される関節には、互いに直交する２方向に動く第三関節、第四関節が設けられていることを特徴とする請求項８に記載の耳装着具。
【請求項１０】
前記第三関節の前記湾曲部に対する取り付け位置が変更できるように構成されていることを特徴とする請求項９に記載の耳装着具。
【請求項１１】
前記湾曲部が、前記機器を着脱自在に連結するための第二連結部を備えていることを特徴とする請求項１から１０の何れかに記載の耳装着具。
【請求項１２】
前記湾曲部と前記固定補助部との連結端には、耳輪の内側の窪みに密着させるための第六関節が設けられていることを特徴とする請求項２に記載の耳装着具。
【請求項１３】
、
前記連結部と前記第二固定補助部との連結端には、耳輪の内側の窪みに密着させるための第七関節が設けられていることを特徴とする請求項３に記載の耳装着具。
【請求項１４】
左右の前記湾曲部又は前記第三関節には、第三固定補助部が着脱可能に設けられていることを特徴とする請求項１又は２又は６又は８又は９の何れかに記載の耳装着具。
【請求項１５】
前記湾曲部、前記連結部、前記第二連結部、前記固定補助部、前記第二固定補助部、前記第三固定補助部、前記第一横振れ防止具、前記第二横振れ防止具、前記ブロックの何れもが変形する部材で構成されていることを特徴とする請求項１から６又は１１又は１４の何れかに記載の耳装着具。
【請求項１６】
前記湾曲部、前記連結部、前記第二連結部、前記固定補助部、前記第二固定補助部、前記第三固定補助部、前記第一横振れ防止具、前記第二横振れ防止具、前記ブロックの何れもが弾性体で構成されていることを特徴とする請求項１から６又は１１又は１４の何れかに記載の耳装着具。
【請求項１７】
前記第三関節、前記第四関節、前記第五関節には、前記耳挿入部を回動させる駆動部が設けられていることを特徴とする請求項８に記載の耳装着具。
【請求項１８】
前記第六関節には、耳輪の内側の窪みに密着させるための駆動部が設けられていることを特徴とする請求項１２に記載の耳装着具。
【請求項１９】
前記第七関節には、耳輪の内側の窪みに密着させるための駆動部が設けられていることを特徴とする請求項１３に記載の耳装着具。
【請求項２０】
前記湾曲部が、前記機器を軸の方向に差し込んで、前記機器を前後に摺動可能に保持する第三連結部を有し、前記第三連結部には、前記機器を上下、及び／又は、左右に回動させる関節が設けられていることを特徴とする請求項１又は２又は４又は６又は９又は１２から１６の何れかに記載の耳装着具。
【請求項２１】
前記第三連結部には、前記眼鏡を前後、及び／又は、上下、及び／又は、左右に回動させる駆動部が設けられていることを特徴とする請求項２０に記載の耳装着具。
【請求項２２】
前記第一横振れ防止具、前記第二横振れ防止具を回動させる駆動部が設けられていることを特徴とする請求項５に記載の耳装着具。
【請求項２３】
前記機器が、イヤホン、携帯電話器、マイクロホン、マスク係止具、耳つぼ指圧具、ウェアラブル機器、メガネ型動画プレイヤー、ビデオカメラ、双眼鏡、耳式血圧装置の何れかであることを特徴とする請求項１から２２の何れかに記載の耳装着具。
【手続補正４】
【補正対象書類名】図面
【補正対象項目名】全図
【補正方法】変更
【補正の内容】
【図１】
2017173399.tif 000029
【図２】
2017173399.tif 000030
【図３】
2017173399.tif 000031
【図４】
2017173399.tif 000032
【図５】
2017173399.tif 000033
【図６】
2017173399.tif 000034
【図７】
2017173399.tif 000035
【図８】
2017173399.tif 000036
【図９】
2017173399.tif 000037
【図１０】
2017173399.tif 000038
【図１１】
2017173399.tif 000039
【図１２】
2017173399.tif 000040
【図１３】
2017173399.tif 000041
【図１４】
2017173399.tif 000042
【図１５】
2017173399.tif 000043
【図１６】
2017173399.tif 000044
【図１７】
2017173399.tif 000045
【図１８】
2017173399.tif 000046
【図１９】
2017173399.tif 000047
【図２０】
2017173399.tif 000048
【図２１】
2017173399.tif 000049
【図２２】
2017173399.tif 000050
【図２３】
2017173399.tif 000051
【図２４】
2017173399.tif 000052
【図２５】
2017173399.tif 000053
【手続補正書】
【提出日】平成28年7月24日(2016.7.24)
【手続補正１】
【補正対象書類名】明細書
【補正対象項目名】全文
【補正方法】変更
【補正の内容】
【発明の詳細な説明】
【技術分野】
【０００１】
本発明は、人の頭部に装着して使用する製品を、耳で確実に保持するための耳装着具に関する。
【背景技術】
【０００２】
従来、ウェアラブル機器、眼鏡、イヤホン、携帯電話関連機器、双眼鏡などの製品は、耳に掛けたり、鼻パッドで保持したり、側頭部で挟持したりして装着している。例えば、ウェアラブル機器は、眼鏡に取り付けられており、その眼鏡は、モダンを耳介側頭溝に掛けることによって保持されている。イヤホンは、耳穴に挿入され、それを保持する装着具は、耳介側頭溝に掛けられている。携帯電話関連機器は、送信機器を取り付けたイヤホンを耳穴に挿入し、双眼鏡は、眼鏡型の鼻パッドを使用して眼前に保持している。
一方、製品を保持するための装着部を耳の耳介側頭溝に沿わせることはできても、人の耳の形状は様々であるから、頭を振った場合でもそれを耳に安定して固定させることは難しい。
【０００３】
この問題に対しては、例えば、下記特許文献１に記載されたものが知られている。
これは使用者の頭部に当接される頭部当接部２０と、その頭部当接部２０と対向する反対側において、眼鏡フレームのテンプル部が当接されるテンプル当接部３０と、テンプル当接部３０側に設けられたウェアラブル機器の機器接続部４０とを備え、テンプル当接部３０は、テンプル部の頭部側側面が当接する第１当接面を有することを特徴としたものである。また、ウェアラブル機器は、耳で固定されないので、ウェアラブル機器の重さは鼻パッドで支持することになる。そこで、特許文献２では、モダン１を耳殻７の外側の耳の付け根の形状に沿わせるとともに、このモダン１で左右側頭骨及び左右乳様突起を挟持し、モダン１の最終端に取り付けられて耳朶５の表面に当接する保持体９と、耳朶５の裏面から協働して耳朶５を挟持する挟持ストッパー２８と、耳朶５の下端を包むように当接する湾曲部３６が、耳朶５を安定して拘束する構成である。しかし、挟持ストッパー２８と協働する保持体９は、挟持する面積が小さく、固定するには不十分であると言う問題がある。
【先行技術文献】
【特許文献】
【０００４】
【特許文献１】特開２０１３−１１７５６７
【特許文献２】特開２０１５−１７９１３７
【発明の概要】
【発明が解決しようとする課題】
【０００５】
人の顔面や側頭部に装着して使用する機器は、鼻、耳、耳朶で支えるため、不安定であり、耳、鼻、耳朶への負荷が増大しており、そうした機器を長時間耳に装着することは苦痛を伴う問題である。本発明は、こうした問題を解決しようとするもので、顔面や側頭部に装着して使用する機器を、着脱容易にして、機器が重い場合であっても、確実に安定して固定することができ、しかも、耳の負担を軽減させ、頭部を激しく振っても、簡単には脱落しない装着感の良い耳装着具を提供することを課題とする。
【課題を解決するための手段】
【０００６】
第１発明の耳装着具は、顔に装着される機器を耳に掛けるための、前記機器に取り付け可能な耳装着具であって、耳介側頭溝の上部に嵌る湾曲部と、耳甲介に嵌り、その後方内面に沿う耳挿入部と、一端が耳の裏側に位置する前記湾曲部に連結され、他端が耳輪を乗り越えて耳の表側に位置する前記耳挿入部に連結される連結部とを備え、前記機器が装着されると、前記湾曲部を支点とし、前記耳挿入部が耳甲介の後方内面を押圧して、前記機器を顔前に保持することを特徴とする。
【０００７】
第２発明の耳装着具は、第１発明において、前記湾曲部の先端が、耳輪の内側の窪みに嵌る固定補助部を備えていることを特徴とする。
【０００８】
第３発明の耳装着具は、第１発明において、前記連結部が、耳輪の内側の窪みに嵌る第二固定補助部を備えていることを特徴とする。
【０００９】
第４発明の耳装着具は、第１発明において、前記湾曲部には、側頭及び／又は後頭に沿って伸びる第一横振れ防止具、第二横振れ防止具が備えられていていることを特徴とする。
【００１０】
第５発明の耳装着具は、第４発明の第一横振れ防止具、第二横振れ防止具が、関節を介して前記湾曲部に取り付けられて、側頭又は後頭に密着するように構成されていることを特徴とする。
【００１１】
第６発明の耳装着具は、第１、第２、第４、第５発明の前記湾曲部が、耳輪の裏面と側頭との隙間を埋めるブロックを備えていることを特徴とする。
【００１２】
第７発明の耳装着具は、第１発明又は第３発明において、前記耳挿入部が耳甲介の後方内面に当接するように、前記連結部の長さが調整可能であることを特徴とする。
【００１３】
第８発明の耳装着具は、第１発明において、前記湾曲部と前記連結部との連結端には第三関節、第四関節、並びに又は、前記連結部と前記耳挿入部との連結端には、前記耳挿入部を耳甲介に密着させるための第五関節が設けられていることを特徴とする。
【００１４】
第９発明の耳装着具は、第８発明において、前記湾曲部と前記連結部とが連結される関節には、互いに直交する２方向に動く第三関節、第四関節が設けられていることを特徴とする。
【００１５】
第１０発明の耳装着具は、第９発明において、前記第三関節の前記湾曲部に対する取り付け位置が変更できるように構成されていることを特徴とする。
【００１６】
第１１発明の耳装着具は、第１発明から第１０発明の前記湾曲部が前記機器を着脱自在に連結するための第二連結部を備えていることを特徴とする
【００１７】
第１２発明の耳装着具は、第２発明において、前記湾曲部と前記固定補助部との連結端には、耳輪の内側の窪みに密着させるための第六関節が設けられていることを特徴とする。
【００１８】
第１３発明の耳装着具は、第３発明において、前記連結部と前記第二固定補助部との連結端には、耳輪の内側の窪みに密着させるための第七関節が設けられていることを特徴とする。
【００１９】
第１４発明の耳装着具は、第８、第９発明の左右の前記湾曲部又は前記第三関節には、第三固定補助部が着脱可能に設けられていることを特徴とする。
【００２０】
第１５発明の耳装着具は、第１発明の前記湾曲部及び前記連結部が変形する部材又は弾性体で構成されていることを特徴とする。
【００２１】
第１６発明の耳装着具は、第２発明の前記固定補助部が変形する部材又は弾性体で構成されていることを特徴とする。
【００２２】
第１７発明の耳装着具は、第８発明において、前記第三関節、前記第四関節、前記第五関節には、前記耳挿入部を回動させる駆動部が設けられていることを特徴とする。
【００２３】
第１８発明の耳装着具は、第１２発明の前記第六関節には、耳輪の内側の窪みに密着させるための駆動部が設けられていることを特徴とする。
【００２４】
第１９発明の耳装着具は、第１３発明の前記第七関節には、耳輪の内側の窪みに密着させるための駆動部が設けられていることを特徴とする。
【００２５】
第２０発明の耳装着具は、第１発明の前記機器において、前記湾曲部が、前記機器を軸の方向に差し込んで、前記機器を前後に摺動可能に保持する第三連結部を有し、前記第三連結部には、前記機器を上下、及び／又は、左右に回動させる関節が設けられていることを特徴とする。
【００２６】
第２１発明の耳装着具は、第２０発明において、前記第三連結部には、前記機器を前後、及び／又は、上下、及び／又は、左右に回動させる駆動部が設けられていることを特徴とする。
【００２７】
第２２発明の耳装着具は、第５発明の前記第一横振れ防止具、前記第二横振れ防止具を回動させる駆動部が設けられていることを特徴とする。
【００２８】
第２３発明の耳装着具は、第１発明から第２２発明において、前記機器が、イヤホン、携帯電話器、マイクロホン、マスク係止具、耳つぼ指圧具、ウェアラブル機器、メガネ型動画プレイヤー、ビデオカメラ、双眼鏡、耳式血圧装置の何れかであることを特徴とする。
【００２９】
第２４発明の耳装着具は、第４、第５発明において、前記第一横振れ防止具及び前記第二横振れ防止具が変形する部材又は弾性体で構成されていることを特徴とする
【００３０】
第２５発明の耳装着具は、第６発明において、前記ブロックが変形する部材又は弾性体で構成されていることを特徴とする
【００３１】
第２６発明の耳装着具は、第１１発明において、前記第二連結部が変形する部材又は弾性体で構成されていることを特徴とする
【００３２】
第２７発明の耳装着具は、第１４発明において、前記第三固定補助部が変形する部材又は弾性体で構成されていることを特徴とする
【発明の効果】
【００３３】
第１発明の耳装着具によれば、前記機器を装着したときに、前記湾曲部を支点とし、前記耳挿入部が耳甲介の後方内面を押圧して、前記機器が垂れ下るのを防止するから、耳の形が種々に異なっても、前記機器を顔前に安定して保持することができる。
【００３４】
第２発明によれば、前記固定補助部が耳輪の内側の窪みに嵌るから、耳の裏側の湾曲部と耳の表側の固定補助部とで耳輪を表裏から挟むことにより、眼前の機器をさらに安定させることができる。
【００３５】
第３発明によれば、耳輪の内側の窪みに嵌る第二固定補助部を備えているから、前述同様、耳輪を表裏から挟むことによって連結部を安定させ、これにより、眼前の機器をさらに安定させることができる。
【００３６】
第４発明によれば、前記湾曲部には、側頭及び／又は後頭に沿って伸びる第一横振れ防止具、第二横振れ防止具が備えられているから、眼前の機器の左右方向のぶれを阻止することができる。
【００３７】
第５発明によれば、側頭部に当接して前記機器の横振れを防ぐ前記第一横振れ防止具、前記第二横振れ防止具が、関節を介して側頭又は後頭に密着するように取り付けられているので、頭部の形状が一様でなくても、機器の横ぶれを防ぐとともに、機器の左右方向の正確な位置調整が可能となる。
【００３８】
第６発明によれば、前記湾曲部が、耳輪の裏面と側頭との隙間を埋めるブロックを備えているので、前記湾曲部がガタツキなく装着され、これにより、装着感を良くして、機器を眼前に確実に保持することができる。
【００３９】
第７発明によれば、前記連結部の長さが調整可能であるので、前記耳挿入部を様々な人の耳甲介の位置に合わせることができる。
【００４０】
第８発明によれば、第三関節、第四関節、第五関節によって前記耳挿入部を手で動かすことができるから、前記耳挿入部を耳甲介に密着させることと、その着脱が容易になる。
【００４１】
第９発明によれば、互いに直交する二方向に動く第三関節と第四関節によって前記連結部を三次元的に動かすことができるので、前記耳挿入部を耳甲介に嵌め込むことが容易になる。
【００４２】
第１０発明によれば、前記第三関節の取り付け位置が変更できるので、耳サイズに合わせて前記湾曲部と前記連結部との取り付け角度を変更することができる。
【００４３】
第１１発明によれば、前記湾曲部が前記機器を着脱自在に連結するための第二連結部を備えているので、従来の機器を簡単に装着することができる。
【００４４】
第１２発明によれば、第六関節により前記固定補助部を耳輪の内側の窪みに嵌めることが容易になる。
【００４５】
第１３発明によれば、第七関節により、同様に前記第二固定補助部を耳輪の内側の窪みに嵌めることが容易になる。
【００４６】
第１４発明によれば、第三固定補助部が着脱可能に設けられているので、前記機器を装着感の良い位置に調整して、後頭部に当接させることにより、それを確実に固定することができる。
【００４７】
第１５発明によれば、前記湾曲部及び前記連結部が変形する部材又は弾性体で構成されているので、それを装着する人に違和感を与えずに装着することができる。
【００４８】
第１６発明によれば、前記固定補助部が変形する部材又は弾性体で構成されているので、関節を設けなくても、手の操作でもって様々な人の耳に簡単に嵌めることができる。
【００４９】
第１７発明によれば、前記第三関節、前記第四関節、前記第五関節には、前記耳挿入部を回動させる駆動部が設けられているので、手を使わずに駆動部をコントロールすることによって耳挿入部を自動的に装着することができる。
【００５０】
第１８発明によれば、前記第六関節には、耳輪の内側の窪みに密着させるための駆動部が設けられているので、手を使わずに駆動部をコントロールすることによって自動的に密着させることができる。
【００５１】
第１９発明によれば、前記第七関節には、耳輪の内側の窪みに密着させるための駆動部が設けられているので、手を使わずに駆動部をコントロールすることによって自動的に密着させることができる。
【００５２】
第２０発明によれば、前記機器が眼鏡であって、前記湾曲部が、該機器を前後にスライド可能に保持する第三連結部を有し、その第三連結部には、機器を上下、及び又は、左右に回動させる関節が設けられているので、機器を眼の上まで上げて保持することができるる。また、左右方向の正確な位置調整も可能となる。
【００５３】
第２１発明によれば、第三連結部の駆動部により前記機器を前後、上下、左右方向に動かすことができるから、前記機器の位置を自由にコントロールすることができる。
【００５４】
第２２発明によれば、第一横振れ防止具、第二横振れ防止具を回動させる駆動部が設けられているので、前記機器を前後、上下、左右方向に自動的に動かすことができる。
【００５５】
第２３発明によれば、イヤホン、携帯電話器、マイクロホン、マスク係止具、耳つぼ指圧具、ウェアラブル機器、メガネ型動画プレイヤー、ビデオカメラ、双眼鏡、耳式血圧装置など様々な機器を耳に装着することができる。
【００５６】
第２４発明によれば、前記第一横振れ防止具及び／又は前記第二横振れ防止具が変形する部材又は弾性体で構成されているので、様々な人の耳に完全に合致させることができる。
【００５７】
第２５発明によれば、前記ブロックが変形する部材又は弾性体で構成されているので、様々な人の耳に完全に合致させることができる。
【００５８】
第２６発明によれば、前記第二連結部が変形する部材又は弾性体で構成されていので、様々な人の耳に完全に合致させることができる。
【００５９】
第２７発明によれば、前記第三固定補助部が変形する部材又は弾性体で構成されているので、様々な人の耳に完全に合致させることができる。
【図面の簡単な説明】
【００６０】
【図１】第１発明の実施例を示す斜視図、側面図である。
【図２】第２発明の実施例を示す側面図である。
【図３】第３発明の実施例を示す側面図である。
【図４】第４発明、第２４発明の実施例を示す側面図である。
【図５】第５発明、第２４発明の実施例を示す側面図である。
【図６】第６発明、第２５発明の実施例を示す斜視図である。
【図７】第７発明の実施例を示す側面図である。
【図８】第８発明の実施例を示す側面図である。
【図９】第８発明の実施例を示す側面図である。
【図１０】第９発明の実施例を示す側面図である。
【図１１】第１０発明の実施例を示す側面図である。
【図１２】第１１発明、第２６発明の実施例を示す斜視図である。
【図１３】第１２発明、第１３発明の実施例を示す側面図である。
【図１４】第１４発明、第２７発明の実施例を示す斜視図である。
【図１５】第１４発明、第２７発明の実施例を示す側面図である。
【図１６】第１５発明、第１６発明の実施例を示す側面図である。
【図１７】第１５発明、第１６発明の実施例を示す側面図である。
【図１８】第１７発明の実施例を示す側面図である。
【図１９】第１８発明、第１９発明の実施例を示す側面図である。
【図２０】第２０発明の実施例を示す側面図である。
【図２１】第２０発明の実施例を示す側面図である。
【図２２】第２１発明の実施例を示す側面図である。
【図２３】第２２発明の実施例を示す側面図である。
【図２４】第２３発明の実施例を示す側面図である。
【図２５】第２３発明の実施例を示す側面図である。
【発明を実施するための形態】
【００６１】
以下、本発明に係る耳装着具の実施形態を、様々な機器の中から眼鏡を一例として取り上げて図面を参照しながら説明する。
【実施例１】
【００６２】
第１発明の耳装着具は、顔に装着される機器を耳に掛けるための、前記機器に取り付け可能な耳装着具であって、耳介側頭溝２の上部に嵌る湾曲部１と、耳甲介３に嵌って後方の内面に沿う耳挿入部４と、一端が耳の裏側に位置する前記湾曲部１に連結され、他端が耳輪５を乗り越えて耳の表側に位置する前記耳挿入部４に連結される連結部６とを備え、前記機器が装着されると、前記湾曲部１を支点１６とし、前記耳挿入部４が耳甲介３の後方内面を押圧して、前記機器を顔前に保持することを特徴としている。
【００６３】
図１（ａ）は第１発明の機器の一種類である眼鏡の一部を表した一実施形態の斜視図であり、図１（ｂ)は眼鏡を左耳にかけた側面図であり、図１（ｃ）は眼鏡が眼前に保持されるときの各部の作用を示す側面図である。これらの図において、湾曲部１は、眼鏡を装着する人の耳介側頭溝２の上部に嵌って側頭部と耳の裏側とに密着する形状をなしている。耳挿入部４は、深く入り込むイヤホン等と違って耳甲介３に浅く嵌ってその後方内面に沿う形状をなしている。連結部６は、一端が耳の裏側に位置する前記湾曲部１に連結され、他端が耳輪５を非接触にオーバーハングするアーチ形状をなして耳の表側に位置する前記耳挿入部４と連結されている。そして、眼鏡を装着すると、前記湾曲部１と耳介側頭溝２との接触箇所を支点１６として眼鏡が下方へ回転しようとするが、前記耳挿入部４が耳甲介３の後方内面を押圧して、眼鏡の回動を阻止するため、眼鏡が顔面の所定位置に保持される。
【００６４】
前記連結部６は、耳輪５をオーバーバングして前方斜め下方にアーチを描いて傾斜し、その先端に耳挿入部４が連結されている。この耳挿入部４は、軟骨のある耳甲介３の後方内面をソフトに押圧する形状である。耳甲介３には、耳甲介膣と耳甲介艇があるが、この場合の耳挿入部４は、これらの内の少なくとも一方の後方内面を押圧する形状であれば良い。
【００６５】
図１の実施形態では、耳挿入部４で、耳甲介３の後方内側を押圧して、眼鏡を顔前に保持するが、耳の内側は、凹凸した形状の部分が多数存在している。また、人によって凹凸の形状が異なるので、その人の凹凸の形状の中で、耳挿入部４が嵌り、そこから浮き上がらずに後方内側を押圧する形状にすることは勿論可能である。
【００６６】
本発明で言う眼鏡は、老眼鏡、度付きメガネ、ＴＶ・映画用３Ｄメガネ、伊達メガネ、サングラス、風防メガネ、カメラを取り付けたメガネ、拡大鏡を入れたメガネ、ライトを取り付けたメガネ、剣道用メガネ、ウェアラブル機器１５を取り付けたメガネ、スクリーンに表示される画像を観察するための画像観察用メガネ、拡張現実（ＡＲ）機能を備えたメガネ、手術用メガネである。
【００６７】
前記機器の取り付け位置は、図示しないが、その機器にはバッテリーや部品が付属しているので、その機器の重心が湾曲部１上に位置するように、バランスを考慮して取り付けることが望ましい。耳装着具を装着する方法は、最初に湾曲部１を耳介側頭溝２に掛けて嵌め、連結部６と耳挿入部４は軟骨でできている耳輪５を手で曲げ、耳挿入部４を耳甲介３に嵌めるようにして、耳輪５を連結部６内に入れれば、耳装着具は確実に固定される。
【００６８】
以下の図では、第１発明の構成部分と同様な部分については、その説明を省略又は簡略化し、第１発明と異なる部分の実施形態について説明する。
【実施例２】
【００６９】
第２発明の耳装着具は、前記湾曲部１の先端が、耳輪５の内側の窪みに嵌る固定補助部１１を備えていることを特徴としている。
【００７０】
図２は第２発明の固定補助部１１を湾曲部１の先端下部に取り付けた一実施形態の側面図である。固定補助部１１を湾曲部１の先端に取り付け、固定補助部１１を耳輪５の形状に合致した形状に湾曲させ、耳輪５の窪みに嵌め込むことにより、湾曲部１は動かなくなる。そして、耳装着具を側頭に寄せて固定することができる。
【００７１】
湾曲部１、連結部６の材質は、金属類、チタン、ステンレス、樹脂である。耳挿入部４の材質は、シリコンゴム、ＣＰ、ポリエステル、アセテート、ナイロン、ＰＶＣ、ポリアミド、ニュクレル、形状記憶樹脂、スポンジ、ベータプラスチック、肌の温度で変形する樹脂などである。耳に接する部分、耳甲介３に接する部分は柔軟な素材が適している。
【実施例３】
【００７２】
第３発明の耳装着具は、前記連結部６が、耳輪５の内側の窪みに嵌る第二固定補助部１２を備えていることを特徴としている。
【００７３】
図３は第３発明の第二固定補助部１２を連結部６に取り付けた状態の一実施形態の側面図である。第二固定補助部１２を連結部６に取り付け、第二固定補助部１２を耳輪５の内側の形状に合致した形状に湾曲させ、耳輪５の窪みに嵌め込むことにより、連結部６は動かなくなり、外れなくなる。そして、眼鏡を側頭に寄せて固定することができる。
【実施例４】
【００７４】
第４発明の耳装着具は、前前記湾曲部１には、側頭及び／又は後頭に沿って伸びる第一横振れ防止具２１、第二横振れ防止具２２が備えられていることを特徴としている。
【００７５】
図４（ａ)は第４発明の第一横振れ防止具２１を前記湾曲部１の先端に取り付け、第二横振れ防止具２２を前記湾曲部１の後端に取り付けた状態の一実施形態の側面図である。湾曲部１の前後に第一横振れ防止具２１、第二横振れ防止具２２を取り付けて側頭に密着させているので、左右方向の振れを阻止できる。
【００７６】
図４（ｂ)は第４発明の第二横振れ防止具２２を前記湾曲部１の後端に取り付けた状態の一実施形態の側面図である。第二横振れ防止具２２を後頭に沿って内側に湾曲させているので、耳装着具はより安定して保持できる。第二横振れ防止具２２を後頭に沿って延設する長さは限定されない。
【実施例５】
【００７７】
第５発明の耳装着具は、第一横振れ防止具２１、第二横振れ防止具２２は、関節を介して前記湾曲部１に取り付けられて、側頭又は後頭に密着するように構成されていることを特徴としている。
【００７８】
図５（ａ)は第５発明の眼鏡に第一横振れ防止具２１を取り付けたことを示す一実施形態の側面図である。湾曲部１の先端に取り付けた上下方向の軸を中心として水平方向に回動可能に取り付けた第一横振れ防止具２１を設けることにより、第一横振れ防止具２１が側頭に当接して横ぶれを防ぐことができる。
【００７９】
図５（ｂ)は第５発明の眼鏡に第二横振れ防止具２２を取り付けたことを示す一実施形態の側面図である。第二横振れ防止具２２は湾曲部１の後端部に取り付け、後頭部の側頭に当接して横ぶれを防止することができる。第二横振れ防止具２２の取り付け位置は、湾曲部１上にあり、側頭に当接できれば、どの位置であっても作用効果はある。
【００８０】
図５（ｃ)は第５発明の第一横振れ防止具２１、第二横振れ防止具２２を一眼用ウェアラブル機器に取り付けたことを示す一実施形態の側面図である。湾曲部１の先端に第一横振れ防止具２１を取り付け、支点１６となる湾曲部１と、湾曲部１の後端に第二横振れ防止具２２取り付けることにより、側頭を三点で当接することができる。図示しないが、前述の固定補助部１１、第二固定補助部１２を取り付けることにより確実に保持することができる。
【実施例６】
【００８１】
本第６発明の耳装着具は、前記湾曲部１が、耳輪の５裏と側頭との隙間を埋めるブロック１８を備えていることを特徴としている。
【００８２】
図６（ａ)は第６発明のブロック１２を取り付けた眼鏡を耳に掛けた人の一実施形態の斜視図である。耳輪５の裏側と側頭との隙間に嵌ってそれらに密着する形状のブロック１２を湾曲部１と一体化させて耳輪５の裏側に設けているので、側面からはブロック１２は目立たないし、耳輪５の裏側と側頭とに密着しているので、装着感は良い。そして、ブロック１２は、中を空洞にした形状でも良い。
【００８３】
図６（ｂ)は第６発明のブロック１２に細い連結部６を取り付けた眼鏡を耳に掛けた人の斜視図である。ブロック１２で耳輪５の裏側と側頭との隙間を固定していれば、細い連結部６や細いテンプル９であっても、シンプルに保持することができる。
【実施例７】
【００８４】
第７発明の耳装着具は、前記耳挿入部４が耳甲介３の後方内面に当接するように、前記連結部６の長さが調整可能であることを特徴としている。
【００８５】
図７（ａ)は第７発明の眼鏡の連結部６が入れ子式に構成されて、連結部６の長さが調整可能であることを示す一実施形態の側面図である。図７（ｂ)は入れ子式の連結部６に取り付けた耳挿入部４を、下方に下げて連結部６の長さを長くしたことを示す側面図である。これにより、大きさの異なる様々な人の耳甲介３に対応できるようにしている。
【実施例８】
【００８６】
第８発明の耳装着具は、前記湾曲部１と前記連結部６との連結端には第三関節３３、第四関節３４、並びに又は、前記連結部６と前記耳挿入部４との連結端には、前記耳挿入部４を耳甲介に密着させるための第五関節３５が設けられていることを特徴としている。
【００８７】
図８（ａ）は第三関節３３、第四関節３４の一実施形態の側面図を示し、図８（ｂ）は連結部６が第三関節３３を構成する水平方向の軸回りに矢印方向に回動可能であることを示す側面図である。この実施形態では、連結部６を反時計方向に一定範囲回動させると、第三関節３３の回動が規制されるようになっている。図８（ｃ）は、機器を眼前に装着して耳挿入部４を耳甲介３に密着させると、湾曲部１と耳介側頭溝２との接触部分が支点１６となって眼鏡が反時計方向へ回動するのを、耳挿入部４が耳甲介３を押圧することによって阻止する様子を示す。人の耳甲介３には、耳甲介膣と耳甲介艇があるので、窪みのある後方内面であれば押圧する場所は限定されない。
【００８８】
図９（ａ）は、前記連結部６と前記耳挿入部４との連結端に別の第五関節３５を取り付けた一実施形態の側面図であり、図９（ｂ）はこの第五関節３５が回動可能であることを示す側面図である。これにより、耳挿入部４を回動させて耳甲介３に密着させることができる。図９（ｃ）は連結部６と耳挿入部４との間に取り付けた第五関節３５から耳挿入部４を外した状態を示す説明図である。
【００８９】
湾曲部１、連結部６の材質は、シリコンゴム、ＣＰ、ポリエステル、アセテート、ＰＶＣ、ポリアミド、ニュクレル、形状記憶樹脂、スポンジ、ベータプラスチックなどである。耳挿入部４の材質として、エラストマーゲル状ウレタンは人肌のように柔軟な部材である。また、肌の温度で変形する樹脂も耳甲介３に接する部分に適している。
【実施例９】
【００９０】
第９発明の耳装着具は、前記湾曲部１と前記連結部６とが連結される関節には、互いに直交する２方向の前記第三関節３３、第四関節３４が設けられていることを特徴としている。
【００９１】
図１０は第９発明に係る関節の一実施形態を示し、図１０（ａ)は眼鏡を耳にかけるときに、水平方向の軸回りに回動する第三関節３３によって、前記連結部６と耳挿入部４が矢印方向に回動可能となっていることを示す側面図である。また、第三関節３３の回転軸は、第四関節３４の回転軸とは直交する方向に設けられている。これにより、連結部６に取り付けた耳挿入部４を耳から外側に離しながら、耳挿入部４を上方に持ち上げることができる。このとき、連結部６を後方へ持ち上げるだけで、第三関節３３、第四関節３４は互いに連動して回動するから、湾曲部１を耳介側頭溝２に掛け易くしている。図１０（ｂ)は第四関節３４によって、耳挿入部４が矢印方向の内側に回動可能であり、これにより耳挿入部４を耳甲介３の中に入れ易くしている。
【００９２】
図１０（ｃ)は外側に開いていた耳挿入部４を矢印方向に回動させて、耳挿入部４を耳甲介３の窪みの中心に入れた状態を示す側面図である。連結部６に取り付けられた耳挿入部４を耳甲介３の窪みの奥まで回動させ、窪みの中央に入れている。図１０（ｄ)は耳挿入部４を耳甲介３の窪みに入れた後、耳甲介３の後方内面に密着させるために、第三関節３３により矢印の方向に耳挿入部４を回動させ、後方内面に当接させたことを示す側面図である。
【００９３】
実施の形態の一例として、前記湾曲部１と前記連結部６との間に連結されている第三関節３３、第四関節３４は、耳輪５と側頭との隙間に嵌るブロック部材内に設けられ、第三関節３３、第四関節３４が回動し易い場所に設けられて、横ぶれしないように固定されている。互いに直交する方向に回動する二つの第三関節３３と第四関節３４が連動して、耳挿入部４を三次元的に動かすことにより、耳挿入部４を凹状で奥に窪んだ耳甲介３の後方内面にコントロールしながら到達させ、眼鏡を装着することができる。
【実施例１０】
【００９４】
第１０発明の耳装着具は、前記第三関節３３の前記湾曲部１に対する取り付け位置が、変更できるように構成されていることを特徴としている。
【００９５】
図１１（ａ)は第１０発明の第三関節３３の湾曲部１への取り付け位置の一例を示す側面図であり、図１１（ｂ)は、その取り付け位置を上方に変更したことを示す側面図である。様々な人の耳に合わせるために、第三関節３３を耳挿入部４に取り付ける位置を変更して、最適な位置で機器が装着できるようにしている。第三関節３３の位置を変更することは、連結部６や耳挿入部４を装着する角度が適宜の位置に変わり、装着感を良くすることができる。
【実施例１１】
【００９６】
第１１発明の耳装着具は、前記湾曲部１が前記機器を着脱自在に連結するための第二連結部７を備えていることを特徴としている。
【００９７】
図１２（ａ)は第１１発明の第二連結部７を湾曲部１の先端下部に設けたことを示す眼鏡の一実施形態の斜視図である。湾曲部１の先端部と後端部にテンプル９、モダン１０を挟み込む溝１９を設け、この溝１９にテンプル９、モダン１０を嵌め込んで固定している。溝１９は材質を弾性部材で製作しているので、基本的な形状のテンプル９、モダン１０を挟んで固定することができる。
【００９８】
図１２（ｂ)は第１１発明の第二連結部７を湾曲部１の上部側に設けたことを示す眼鏡の一実施形態の斜視図である。湾曲部１の先端部と後端部の上部側にテンプル９とモダン１０を挟み込む溝１９を設け、この溝１９にテンプル９とモダン１０を嵌め込んで固定している。溝１９は弾性部材で構成されているので、基本的な形状のテンプル９、モダン１０を挟み保持することができる。
【００９９】
第１１発明の第二連結部７は、強い力で挟持できる溝１９を取り付けたことにより、溝１９に嵌め込んだテンプル９は前後方向に自由に移動させることができるので、レンズと目との間を示す角膜頂点間距離１２ｍｍの調整が可能となる。そして、連結部６に取り付けた耳挿入部４を耳甲介３に密着させた後、第一関節３３を利用して、眼鏡の上下方向の位置の微調整もすることができる。したがって、市販された眼鏡を装着している人の眼鏡に取り付けて、装着感の良い眼鏡として便利に使用することができる。
【０１００】
第１１発明の眼鏡は、湾曲部１、連結部６、耳挿入部４で耳甲介３に確実に保持されるので、眼鏡のブリッジと鼻パッドを省略して使用することができる。
【実施例１２】
【０１０１】
第１２発明の耳装着具は、前記湾曲部１と前記固定補助部１１との連結端には、耳輪５の内側の窪みに密着させるための第六関節３６が設けられていることを特徴としている。
【０１０２】
図１３（ａ）は第１２発明の第六関節３６の一実施形態として、湾曲部１の先端下部に鉛直方向の回転軸を有する関節を示し、図１３（ｂ)はその第六関節３６により前記固定補助部１１を耳輪５の窪みから外して外側に回動させ状態の側面図を示す。この第六関節３６により耳輪５の窪みの奥に嵌った前記固定補助部１１を耳から外すことが容易になる。
【実施例１３】
【０１０３】
第１３発明の耳装着具は、前記連結部６と前記第二固定補助部１２との連結端には、耳輪５の内側の窪みに密着させるための第七関節３７が設けられていることを特徴としている。
【０１０４】
図１３（ｃ）は第１３発明の第七関節３７の一実施形態を示し、図１３（ｄ)は第七関節３７により前記第二固定補助部１２を耳輪５の窪みから外したことを示す側面図である。この第七関節３７は、前記連結部６に紙面と直交する方向に設けた回転軸に第二固定補助部１２を矢印方向に回動可能に取り付けたもので、これにより、耳輪５の窪みの奥に嵌った前記第二固定補助部１２を耳から外すことが容易になる。
【実施例１４】
【０１０５】
第１４発明の耳装着具は、左右の前記湾曲部１又は前記第三関節３３には、第三固定補助部１３が着脱可能に設けられていることを特徴としている。
【０１０６】
図１４（ａ）は第１４発明の第三固定補助部１３を左右の前記湾曲部１の各後端に取り付けた一実施形態の斜視図であり、図１４（ｂ)は第１４発明の第三固定補助部１３を各前記第三関節３３の各後端に取り付けた一実施形態の斜視図である。第三固定補助部１３が側頭から後頭に掛けて密着するので、左右の前記湾曲部１、各前記第三関節３３が非常に安定して側頭に当接することになる。
【０１０７】
図１５（ａ)は、第１４発明の第三固定補助部１３を各前記第三関節３３の各後端に取り付け、双眼鏡を取り付けた眼鏡を掛けた人の一実施形態の側面図である。第三固定補助部１３が後頭部全体に当接して、重量のある双眼鏡取り付けた眼鏡を装着した場合、双眼鏡の重量は第三固定補助部１３によって受け止められ、長時間装着しても装着感が良く安定して固定することができる。
【０１０８】
図１５（ｂ)は第１４発明の第三固定補助部１３を前記第三関節３３の後端に取り付けた一実施形態の斜視図であり、図１５（ｃ)は第１４発明の第三固定補助部１３を矢印の示す方向に引き上げた状態を示す一実施形態の側面図ある。第三固定補助部１３を引き上げ、連結部６が矢印の方向に回動し、耳挿入部４が耳甲介３に押し圧して停止した時に、眼鏡は固定される。このようにして重い双眼鏡も装着することができる。
【実施例１５】
【０１０９】
第１５発明の耳装着具は、前記湾曲部１及び／又は前記連結部６が変形する部材又は弾性体で構成されていることを特徴としている。
【０１１０】
図１６（ａ)は、第１５発明の変形部材で形成された湾曲部１の側面図を示す。湾曲部１は変形部材で形成されているので、一定以上の力を加えると変形するが、耳介側頭溝２に嵌め込んだ場合は、適宜の力で挟むことができる。耳介側頭溝２が湾曲部１に当接する位置は、前述の支点１６となる。耳介側頭溝２の形状に合わせた支点１６は安定性が良く、装着感も良い。耳挿入部４を耳甲介３に密着させることにより、長時間装着しても違和感はない。図１６（ｂ)は、第１５発明の連結部６が変形部材で形成されている側面図を示す。一定以上の力を加えると外側に曲がり、放しても元に戻らないようになっている。
【０１１１】
図１７（ａ)は、第１５発明の湾曲部１の中に入れた針金２０を、装着する人の耳介側頭溝２の形状に合わせている側面図を示す。湾曲部１は針金２０を芯に入れて形成されているので、一定以上の力を加えると変形するが、機器を装着した状態では変形しないようになっている。耳介側頭溝２が湾曲部１に当接する位置は、前述の支点１６となる。耳介側頭溝２の形状に合わせた支点１６は安定性が良く、装着感も良い。耳挿入部４を耳甲介３に密着させることにより、長時間装着しても違和感はない。
【０１１２】
図１７（ｂ)は、第１５発明の弾性部材で構成された連結部６の一例を示す側面図である。この場合には、前述の第四関節３４がなくても、耳装着具を着脱する時に、耳の耳輪５に接しないように連結部６を外側に簡単に広げることができる。耳甲介３に嵌め込む時も、自由に曲がる弾性部材の作用効果で、珠間切痕１７を避けて耳甲介３の窪みに合わせることは容易である。耳の形状が僅かに異なっても装着可能となるので、標準的な型となる。
【実施例１６】
【０１１３】
第１６発明の耳装着具は、前記固定補助部１１が変形する部材又は弾性体で構成されていることを特徴としている。
【０１１４】
図１６（ｃ)は第１６発明の変形部材で構成された固定補助部１１を示す側面図である。固定補助部材１１を耳輪５の内側の窪みの形状に変形させることにより、軟骨である耳輪５の上端部の窪みに、固定補助部１１を簡単に嵌め込むことができる。この固定補助部１１の作用効果により、眼鏡は側頭部に固定される。
【０１１５】
図１７（ｃ)は第１６発明の弾性部材で構成される固定補助部１１を示す側面図である。この場合には、前述の第五関節３５を設けなくても、固定補助部１１を取り付けて耳装着具を装着する時は、耳輪５の内側の窪みに嵌め込まないと耳装着具を固定できない。固定補助部１１を変形部材で形成させることにより、固定補助部１１を曲げて簡単に窪みに嵌めることができる。固定補助部１１の作用効果により、耳装着具は側頭部に固定される。
【実施例１７】
【０１１６】
第１７発明の耳装着具は、前記第三関節３３、前記第四関節３４、前記第五関節３５には、前記耳挿入部４を回動させる駆動部が設けられていることを特徴としている。
【０１１７】
図１８（ａ)は第１７発明の第三関節３３には、連結部６を水平方向の軸を中心として前後方向に回動させる第一駆動部４１が取り付けられ、第四関節３４には、連結部６を上下方向の軸を中心として前後方向に回動させる第二駆動部４２が取り付けられていることを示す側面図である。ブロック１８に取り付けられた第一駆動部４１と第二駆動部４２を連動させることにより、耳挿入部４を耳甲介３の窪みに自動的に移動させて後方内面に当接させることができる。
【０１１８】
図１８（ｂ)は第１７発明の第五関節３５には、耳挿入部４を耳に沿って回転させる第三駆動部４３が設けられていることを示す側面図である。水平方向の軸回りに耳挿入部４を回動させる第三駆動部４３は、耳甲介３の中に入った耳挿入部４を矢印方向に回動させることにより、耳挿入部４を後方内面に密着させることができる。
【実施例１８】
【０１１９】
第１８発明の耳装着具は、前記第六関節には、耳輪の内側の窪みに密着させるための駆動部が設けられていることを特徴としている。
【０１２０】
図１９（ａ)は第１８発明の第六関節３６には、前記固定補助部１１を耳輪５の内側の窪みに密着させるための第六駆動部４６が設けられている一実施形態の側面図である。耳輪５の内側の窪みに前記固定補助部１１を自動的に入れるために、第六関節３６は外側方向斜め下方から上方に回動させて、前記固定補助部１１を斜め下方から耳輪５の内側の窪みに嵌まるように設けられている。
【実施例１９】
【０１２１】
第１９発明の耳装着具は、前記第七関節には、耳輪の内側の窪みに密着させるための駆動部が設けられていることを特徴としている。
【０１２２】
図１９（ｂ）は第１９発明の第七関節３７には、前記第二固定補助部１１を耳輪５の内側の窪みに密着させるための第七駆動部４７が設けられている一実施形態の側面図を示す。耳輪５の内側の窪みに記第二固定補助部１２を入れるには、前記第七関節３７は下方から上方に回動するように設けられている。
【実施例２０】
【０１２３】
第２０発明の耳装着具は、前記湾曲部が、前記機器を軸の方向に差し込んで、前記機器を前後に摺動可能に保持する第三連結部を有し、前記第三連結部には、前記機器を上下、及び／又は、左右に回動させる関節が設けられていることを特徴としている。
【０１２４】
図２０（ａ)は第２０発明の眼鏡の前記湾曲部１に取り付けられる第三連結部８には、テンプル９をテンプル軸の方向に差し込んで保持する保持部１５が形成され、その保持部１５が左右方向に回動する第八関節３８を設けることにより、湾曲部１に対して前記第三連結部８が水平方向に回動可能に取り付けられていることを示す一実施形態の側面図である。保持部１５にテンプル９を挿入すると、密着させることができる。図２０（ｂ)は第２０発明の眼鏡の前記湾曲部１に対して第三連結部８が上下方向に回動する第九関節３９を設けることにより、第三連結部８が湾曲部材１に対し、上下方向に回動することを示す一実施形態の側面図である。前記テンプル９をテンプル軸に挿入すると、眼鏡のレンズ部を適宜の目の高さに合わせることができる。
【０１２５】
図２０（ｃ)は第２０発明の湾曲部１先端に取り付けた第三連結部８に保持したテンプル９が、前後方向に摺動可能にすることを示す一実施形態の側面図である。湾曲部１に対してテンプル９が上下方向に折り曲がる第九関節３９を設けているので、前後方向の調整も可能である。最も重要なレンズ部と目との間の角膜頂点間距離の調整が可能である。
【０１２６】
第三連結部８の別の作用効果を説明する。図２１（ａ)は第２０発明の第三連結部８を取り付けた眼鏡を前方に出したことを示す一実施形態の側面図であり、図２１（ｂ)は眼鏡を前方に出した後、上方に押し上げて固定した状態を示す側面図である。したがって、この場合の第九関節３９は、眼鏡を顔面から上方に上げると、締まって拘束されるようになっている。こうすれば、眼鏡を使用しない時にレンズ部を退避させる方法として便利に使用することができる。図示しないが、眼鏡をかける時に、また、眼鏡のテンプル９を折り畳む時には、湾曲部１と連結部６をテンプル９に沿うように回動させることによって、コンパクトな形状に変形させて収納できるので便利である。
【０１２７】
本発明で言う眼鏡は、老眼鏡、伊達眼鏡、度付き眼鏡、鼻の低い人用眼鏡、ＴＶ・映画用３Ｄメガネ、サングラス、風防メガネ、カメラを取り付けたメガネ、拡大鏡メガネ、ライト付メガネ、剣道用メガネ、ウェアラブル機器付メガネ、画像観察用メガネ、拡張現実（ＡＲ）機能を備えたメガネ、手術用メガネである。
【実施例２１】
【０１２８】
第２１発明の耳装着具は、前記第三連結部８には、前記眼鏡を前後、及び／又は、上下、及び／又は、左右に回動させる駆動部が設けられていることを特徴としている。
【０１２９】
図２２（ａ)はテンプル９を前後方向に摺動させる第十駆動部５０を前記第三連結部８に取り付けた一例を示す。この構成によれば、眼鏡にとって最も重要な角膜頂点間距離の調整が可能となる。図２２（ｂ)は前記第三連結部８に設けた第八関節４８に、前記第三連結部８を上下方向に回動させる第八駆動部４８を設けた一例を示す。この構成によれば、顔面の眼鏡を上下方向に動かすことができ、レンズの高さ調整が可能となる。
【０１３０】
図２２（ｃ)は前記第三連結部８に取り付けた第九駆動部４９でもって、テンプル９を左右方向に回動させる側面図である。第九駆動部４９は上下方向の軸回りに水平方向に回動可能に取り付けられているので、前記第三連結部８は左右方向の動きをして眼鏡の位置を調整する。このように、前後、上下、左右に動作する駆動部を取り付けることにより、眼鏡を適宜の位置に自動的に誘導することができる。
【実施例２２】
【０１３１】
第２２発明の耳装着具は、前記第一横振れ防止具２１、前記第二横振れ防止具２２を回動させる駆動部が設けられていることを特徴としている。
【０１３２】
図２３（ａ)は第２２発明の湾曲部１に取り付けた第一横振れ防止具２１に第一駆動部４１を設けた側面図である。第一駆動部４１は第一横振れ防止具２１を自動的に左右方向の動作をして、側頭との当接の強さを調整することができる。図２３（ｂ)は湾曲部１の後端に取り付けた第二横振れ防止具２２に、第二駆動部４２を設けた側面図である。第二駆動部４２は第二横振れ防止具２２を自動的に左右方向の動作をして、後頭部との当接の強さを調整することができる。
【実施例２３】
【０１３３】
第２３発明の耳装着具は、前記機器が、イヤホン５１、携帯電話器５２、マイクロホン５３、マスク係止具５４、耳つぼ指圧具５５、ウェアラブル機器５６、メガネ型動画プレイヤー５７、ビデオカメラ５８、双眼鏡５９、耳式血圧装置６０の何れかであることを特徴としている。
【０１３４】
実施の形態の一例として、第２４（ａ)図は第２３発明の連結部６に取り付けたイヤホン５１を示す一実施形態の側面図である。連結部６の下端は外耳道に最も近い位置であり、イヤホン５１は取り付けが容易である。第２４（ｂ)図は第２３発明の湾曲部材１の先端から下方に取り付けたイヤホン５１を示す一実施形態の側面図である。イヤホン５１を外耳道に挿入するので、確実に固定される。第２４（ｃ)図は第２３発明の連結部６の下端に取り付けたイヤホン５１は外耳道に接しないように設けていることを示す一実施形態の側面図である。イヤースピーカーになるので、周辺の音も聞こえる。
【０１３５】
第２４（ｄ)図は第２３発明の連結部６に取り付けたイヤホン５１は耳介を覆っていること示す一実施形態の側面図である。連結部６に取り付けた第四関節３４により、イヤホン５１を外側に開けて着脱することができる。第２４（ｅ)図は第２３発明の耳装着型の携帯電話器５２を示す一実施形態の側面図である。外耳道に挿入しているイヤホン５１と耳甲介３に密着している耳挿入部４により、安定して保持することができる。着脱は第四関節３４を回動させてできる。第２４（ｆ)図は第２２発明の湾曲部１の先端に取り付けたマイクロホン５３を示す一実施形態の側面図である。着脱が容易にできる。
【０１３６】
第２４（ｇ)図は第２３発明の湾曲部１に取り付けた係止具５５にマスクの紐を引っ掛けてマスクをしている人を示す一実施形態の側面図である。係止具５５は湾曲部１にマスクが嵌る溝を設けるか、突起具を取り付けてそれに引っ掛けることができる。マスクの紐が耳介側頭溝２に直接接することがないので、マスクを長時間しても、マスクの紐を強くしても装着感は非常に良い。第２４（ｈ)図は第２３発明の湾曲部１の下端に耳つぼ指圧器５５を取り付けたことを示す一実施形態の側面図である。耳珠の中にある起点と言うツボを押して刺激するとダイエットの効果がある。第２４（ｉ)図は第２３発明の湾曲部１に血圧検出部、データ送信装置を取り付けた耳式血圧装置６０を示す一実施形態の側面図である。２４時間血圧の測定、記録ができる。図示しないが、ライト、カメラ、補聴器なども取り付けることができる。
【０１３７】
第２５（ａ)図は第２３発明のメガネ型のウェアラブル機器５６を示す一実施形態の側面図である。第三固定補助部１３を取り付けたことにより、後頭部で保持しているので、耳の負担が軽減される。第２５（ｂ)図は第２３発明のメガネ型動画プレイヤー５７を示す一実施形態の側面図である。今後、コンパクトに改良された時には、このような形状になると思われる。第２５（ｃ)図は第２３発明の耳装着型のビデオカメラ５８を示す一実施形態の側面図である。人の目線のビデオ映像を撮ることができる。第２５（ｄ)図は第２３発明の耳装着型の双眼鏡５９を示す一実施形態の側面図である。第三固定補助部１３を取り付けたことにより、後頭部で保持しているので、耳の負担が軽減される。
【実施例２４】
【０１３８】
第２４発明の耳装着具は、前記第一横振れ防止具２１及び前記第二横振れ防止具２２が変形する部材又は弾性体で構成されていることを特徴としている。
【０１３９】
図４（ａ)は第４発明の第一横振れ防止具２１を前記湾曲部１の先端に取り付け、第二横振れ防止具２２を前記湾曲部１の後端に取り付けた状態の一実施形態の側面図である。この第一横振れ防止具２１、第二横振れ防止具２２を、第２４発明の変形する部材又は弾性部材にすることにより、側頭、後頭に沿って伸びているので、眼前の機器の左右方向のぶれを阻止できる。
【０１４０】
図５（ｂ)は、第５発明の第一横振れ防止具２と第二横振れ防止具２２を、湾曲部１の前後部に関節を介して取り付けたことを示す一実施形態の側面図である。この第一横振れ防止具２１、第二横振れ防止具２２を、第２４発明の変形する部材又は弾性部材にすることにより、頭部の形状が一様でなくても、機器の横ぶれを防ぐとともに、機器の左右方向の正確な位置調整が可能となる。
【実施例２５】
【０１４１】
第２５発明の耳装着具は、前記ブロック１８が変形する部材又は弾性体で構成されていることを特徴としている。
【０１４２】
図６（ａ)は、第６発明のブロック１８を取り付けた眼鏡を耳に掛けた人の一実施形態の斜視図である。このブロック１８を第２５発明の変形する部材又は弾性部材にすることにより、耳輪の裏面と側頭との隙間を埋めることになり、湾曲部１はガタツキなく装着され、装着感を良くして、機器を眼前に確実に保持できる。
【実施例２６】
【０１４３】
第２６発明の耳装着具は、前記第二連結部７が変形する部材又は弾性体で構成されていることを特徴としている。
【０１４４】
図１２（ａ)は、第二連結部７を湾曲部１の下部側に設けたことを示す眼鏡の一実施形態の斜視図である。図１２（ｂ)は、他の実施形態の第二連結部７を湾曲部１の上部側に設けたことを示す眼鏡の一実施形態の斜視図である。これらの第二連結部７を、第２６発明の変形する部材又は弾性部材にすることにより、テンプル９、モダン１０を挟み込む溝１９を設けた形状の第二連結部７は、市販された眼鏡を装着している人の眼鏡に取り付けて、装着感の良い眼鏡として便利に使用することができる。
【実施例２７】
【０１４５】
第２７発明の耳装着具は、前記第三固定補助部１３が変形する部材又は弾性体で構成されていることを特徴としている。
【０１４６】
図１４（ａ）は第１４発明の第三固定補助部１３を左右の前記湾曲部１の各後端に取り付けた一実施形態の斜視図であり、図１４（ｂ)は第１４発明の第三固定補助部１３を各前記第三関節３３の各後端に取り付けた一実施形態の斜視図である。これらの第三固定補助部１３を、第２７発明の変形する部材又は弾性部材にすることにより、側頭から後頭に掛けて密着するので、重量のある機器を装着した場合、機器の重量は第三固定補助部１３によって受け止められ、長時間装着しても装着感
が良く安定して固定することができる。
【符号の説明】
【０１４７】
１    湾曲部
２    耳介側頭溝
３    耳甲介
４    耳挿入部
５    耳輪
６    連結部
７    第二連結部
８    第三連結部
９    テンプル
１０  モダン
１１  固定補助部
１２  第二固定補助部
１３  第三固定補助部  
１５  保持部
１６  支点
１８  ブロック
１９  溝  
２０  針金
２１  第一横振れ防止具
２２  第二横振れ防止具
３１  第一関節（第一横振れ防止具）
３２  第二関節（第二横振れ防止具）
３３  第三関節（連結部）
３４  第四関節（連結部）
３５  第五関節（耳挿入部）
３６  第六関節（固定補助部）
３７  第七関節（第二固定補助部）
３８  第八関節（第三連結部）
３９  第九関節（第三連結部）
４１  第一駆動部（第一横振れ防止具）
４２  第二駆動部（第二横振れ防止具）
４３  第三駆動部（連結部）
４４  第四駆動部（連結部）
４５  第五駆動部（耳挿入部）
４６  第六駆動部（固定補助部）
４７  第七駆動部（第二固定補助部）
４８  第八駆動部（第三連結部）
４９  第九駆動部（第三連結部）
５０  第十駆動部（第三連結部）
５１  イヤホン
５２  携帯電話器
５３  マイクロホン
５４  マスク係止具
５５  耳つぼ指圧具
５６  ウェアラブル機器
５７  メガネ型動画プレイヤー
５８  ビデオカメラ
５９  双眼鏡
６０  耳式血圧装置
【手続補正２】
【補正対象書類名】特許請求の範囲
【補正対象項目名】全文
【補正方法】変更
【補正の内容】
【特許請求の範囲】
【請求項１】
顔に装着される機器を耳に掛けるための、前記機器に取り付け可能な耳装着具であって、耳介側頭溝の上部に嵌る湾曲部と、耳甲介に嵌り、その後方内面に沿う耳挿入部と、一端が耳の裏側に位置する前記湾曲部に連結され、他端が耳輪を乗り越えて耳の表側に位置する前記耳挿入部に連結される連結部とを備え、前記機器が装着されると、前記湾曲部を支点とし、前記耳挿入部が耳甲介の後方内面を押圧して、前記機器を顔前に保持することを特徴とする耳装着具。
【請求項２】
前記湾曲部の先端が、耳輪の内側の窪みに嵌る固定補助部を備えていることを特徴とする請求項１に記載の耳装着具。
【請求項３】
前記連結部が、耳輪の内側の窪みに嵌る第二固定補助部を備えていることを特徴とする請求項１に記載の耳装着具。
【請求項４】
前記湾曲部には、側頭及び／又は後頭に沿って伸びる第一横振れ防止具、第二横振れ防止具が備えられていていることを特徴とする請求項１に記載の耳装着具。
【請求項５】
前記第一横振れ防止具、前記第二横振れ防止具が、関節を介して前記湾曲部に取り付けられて、側頭又は後頭に密着するように構成されていることを特徴とする請求項４に記載の耳装着具。
【請求項６】
前記湾曲部が、耳輪の裏面と側頭との隙間を埋めるブロックを備えていることを特徴とする請求項１又は２又は４又は５の何れかに記載の耳装着具。
【請求項７】
前記耳挿入部が耳甲介の後方内面に当接するように、前記連結部の長さが調整可能であることを特徴とする請求項１又は３に記載の耳装着具。
【請求項８】
前記湾曲部と前記連結部との連結端には第三関節、第四関節、並びに又は、前記連結部と前記耳挿入部との連結端には、前記耳挿入部を耳甲介に密着させるための第五関節が設けられていることを特徴とする請求項１に記載の耳装着具。
【請求項９】
前記湾曲部と前記連結部とが連結される関節には、互いに直交する２方向に動く第三関節、第四関節が設けられていることを特徴とする請求項８に記載の耳装着具。
【請求項１０】
前記第三関節の前記湾曲部に対する取り付け位置が変更できるように構成されていることを特徴とする請求項９に記載の耳装着具。
【請求項１１】
前記湾曲部が、前記機器を着脱自在に連結するための第二連結部を備えていることを特徴とする請求項１から１０の何れかに記載の耳装着具。
【請求項１２】
前記湾曲部と前記固定補助部との連結端には、耳輪の内側の窪みに密着させるための第六関節が設けられていることを特徴とする請求項２に記載の耳装着具。
【請求項１３】
前記連結部と前記第二固定補助部との連結端には、耳輪の内側の窪みに密着させるための第七関節が設けられていることを特徴とする請求項３に記載の耳装着具。
【請求項１４】
左右の前記湾曲部又は前記第三関節には、第三固定補助部が着脱可能に設けられていることを特徴とする請求項８又は９に記載の耳装着具。
【請求項１５】
前記湾曲部及び前記連結部が変形する部材又は弾性体で構成されていることを特徴とする請求項１に記載の耳装着具。
【請求項１６】
前記固定補助部が変形する部材又は弾性体で構成されていることを特徴とする請求項２に記載の耳装着具。
【請求項１７】
前記第三関節、前記第四関節、前記第五関節には、前記耳挿入部を回動させる駆動部が設けられていることを特徴とする請求項８に記載の耳装着具。
【請求項１８】
前記第六関節には、耳輪の内側の窪みに密着させるための駆動部が設けられていることを特徴とする請求項１２に記載の耳装着具。
【請求項１９】
前記第七関節には、耳輪の内側の窪みに密着させるための駆動部が設けられていることを特徴とする請求項１３に記載の耳装着具。
【請求項２０】
前記湾曲部が、前記機器を軸の方向に差し込んで、前記機器を前後に摺動可能に保持する第三連結部を有し、前記第三連結部には、前記機器を上下、及び／又は、左右に回動させる関節が設けられていることを特徴とする請求項１に記載の耳装着具。
【請求項２１】
前記第三連結部には、前記機器を前後、及び／又は、上下、及び／又は、左右に回動させる駆動部が設けられていることを特徴とする請求項２０に記載の耳装着具。
【請求項２２】
前記第一横振れ防止具、前記第二横振れ防止具を回動させる駆動部が設けられていることを特徴とする請求項５に記載の耳装着具。
【請求項２３】
前記機器が、イヤホン、携帯電話器、マイクロホン、マスク係止具、耳つぼ指圧具、ウェアラブル機器、メガネ型動画プレイヤー、ビデオカメラ、双眼鏡、耳式血圧装置の何れかであることを特徴とする請求項１から２２の何れかに記載の耳装着具。
【請求項２４】
前記第一横振れ防止具及び前記第二横振れ防止具が変形する部材又は弾性体で構成されていることを特徴とする請求項４又は５に記載の耳装着具。
【請求項２５】
前記ブロックが変形する部材又は弾性体で構成されていることを特徴とする請求項６に記載の耳装着具。
【請求項２６】
前記第二連結部が変形する部材又は弾性体で構成されていることを特徴とする請求項１１に記載の耳装着具。
【請求項２７】
前記第三固定補助部が変形する部材又は弾性体で構成されていることを特徴とする請求項１４に記載の耳装着具。
【手続補正４】
【補正対象書類名】図面
【補正対象項目名】図６
【補正方法】変更
【補正の内容】
【図６】
2017173399.tif 000054
【手続補正５】
【補正対象書類名】図面
【補正対象項目名】図１６
【補正方法】変更
【補正の内容】
【図１６】
2017173399.tif 000055
【手続補正６】
【補正対象書類名】図面
【補正対象項目名】図１７
【補正方法】変更
【補正の内容】
【図１７】
2017173399.tif 000056
【手続補正７】
【補正対象書類名】図面
【補正対象項目名】図２４
【補正方法】変更
【補正の内容】
【図２４】
2017173399.tif 000057
【手続補正８】
【補正対象書類名】図面
【補正対象項目名】図２５
【補正方法】変更
【補正の内容】
【図２５】
2017173399.tif 000058
【手続補正書】
【提出日】平成28年9月30日(2016.9.30)
【手続補正１】
【補正対象書類名】明細書
【補正対象項目名】００５６
【補正方法】変更
【補正の内容】
【００５６】
第２４発明によれば、前記第一横振れ防止具又は前記第二横振れ防止具が変形する部材又は弾性体で構成されているので、様々な人の耳に完全に合致させることができる。
【手続補正２】
【補正対象書類名】明細書
【補正対象項目名】０１０９
【補正方法】変更
【補正の内容】
【０１０９】
第１５発明の耳装着具は、前記湾曲部１又は前記連結部６が変形する部材又は弾性体で構成されていることを特徴としている。
【手続補正３】
【補正対象書類名】図面
【補正対象項目名】図８
【補正方法】変更
【補正の内容】
【図８】
2017173399.tif 000059